(57)【要約】ワイヤレス通信のための方法、システム、およびデバイスが説明される。ワイヤレスデバイスは、ある持続時間を有する送信時間間隔（ＴＴＩ）の間にデータ送信を受信し得、デバイスは、異なる持続時間（例えば、より大きい持続時間）を有する後続のＴＴＩ中で応答制御メッセージ（例えば、確認応答情報）を送信し得る。いくつかの場合には、制御メッセージは、複数のダウンリンク送信のためのバンドルされた確認応答情報を含み得る。制御メッセージは、例えば、異なる持続時間を有するＴＴＩの間に受信されたデータのための確認応答情報とバンドルされた、ある持続時間を有するいくつかのＴＴＩの間に受信されたデータのための確認応答情報を含み得る。確認応答情報は、例えば、連続する否定応答の開始点およびランレングスを使用して、圧縮され得る。【選択図】図１４
2018526919.tif 000002
【特許請求の範囲】
【請求項１】
第１の持続時間を有する第１の送信時間間隔（ＴＴＩ）の間にデータ送信を受信することと、
前記第１の持続時間よりも大きい第２の持続時間を有する第２のＴＴＩの間に制御メッセージを送信することと、ここにおいて、前記制御メッセージが、前記データ送信のための確認応答情報を備える、
を備えるワイヤレス通信の方法。
【請求項２】
第３のＴＴＩの間に追加のデータ送信を受信することをさらに備え、ここにおいて、前記制御メッセージが、前記追加のデータ送信のための確認応答情報を備える、
請求項１に記載の方法。
【請求項３】
前記第３のＴＴＩが前記第２の持続時間を有する、請求項２に記載の方法。
【請求項４】
前記制御メッセージのビットが、前記データ送信のための前記確認応答情報と、前記追加のデータ送信のための前記確認応答情報とに対応する、請求項３に記載の方法。
【請求項５】
前記制御メッセージが、前記第１の持続時間をもつＴＴＩの間のデータ送信に対応する第１のフィールドと、前記第２の持続時間をもつＴＴＩの間のデータ送信に対応する第２のフィールドとを備える、請求項３に記載の方法。
【請求項６】
前記第１のフィールドのためのビットの第１の数と、前記第２のフィールドのためのビットの第２の数とを識別することをさらに備え、ここにおいて、ビットの前記第１の数とビットの前記第２の数との和が、前記制御メッセージ中の前記確認応答情報のために利用可能なビットの総数に等しい、
請求項５に記載の方法。
【請求項７】
複数のデータ送信を受信することと、ここにおいて、前記複数のうちの各データ送信が、前記第１の持続時間をもつＴＴＩの間に受信される、
前記制御メッセージ中の前記確認応答情報のために利用可能なビットの数を識別することと、ここにおいて、ビットの前記数が、前記複数のデータ送信の数よりも小さい、
をさらに備える、請求項１に記載の方法。
【請求項８】
前記複数のデータ送信のうちの各データ送信のための復号インジケータを備えるシーケンスを識別することと、ここにおいて、前記シーケンスが、復号失敗インジケータのサブシーケンスを備える、
前記サブシーケンスの開始インデックスと、前記サブシーケンスのランレングスとに少なくとも部分的に基づいて、前記シーケンスを圧縮することと
をさらに備える、請求項７に記載の方法。
【請求項９】
前記制御メッセージが、前記サブシーケンスの前記開始インデックスのインジケータと、前記サブシーケンスの前記ランレングスのインジケータとを備える、請求項８に記載の方法。
【請求項１０】
前記制御メッセージが、前記サブシーケンスの前記ランレングスのインジケータを備え、ここにおいて、前記サブシーケンスの前記開始インデックスが、ダウンリンク制御メッセージのロケーションに対応する、請求項８に記載の方法。
【請求項１１】
前記第１の持続時間を有する第３のＴＴＩの間にダウンリンク制御メッセージを受信することと、
前記ダウンリンク制御メッセージに少なくとも部分的に基づいて、前記制御メッセージの送信のための前記第２のＴＴＩを識別することと
をさらに備える、請求項１に記載の方法。
【請求項１２】
無線リソース制御（ＲＲＣ）構成に少なくとも部分的に基づいて、前記制御メッセージの送信のための前記第２のＴＴＩを識別すること
をさらに備える、請求項１に記載の方法。
【請求項１３】
チャネル状態に少なくとも部分的に基づいて、前記制御メッセージの送信のための前記第２のＴＴＩを識別すること
をさらに備える、請求項１に記載の方法。
【請求項１４】
ワイヤレス通信のための装置であって、
プロセッサと、
前記プロセッサと電子通信しているメモリと、
前記メモリに記憶され、前記プロセッサによって実行されたとき、前記装置に、
第１の持続時間を有する第１の送信時間間隔（ＴＴＩ）の間にデータ送信を受信することと、
前記第１の持続時間よりも大きい第２の持続時間を有する第２のＴＴＩの間に制御メッセージを送信することと、ここにおいて、前記制御メッセージが、前記データ送信のための確認応答情報を備える、
を行わせるように動作可能な命令と
を備える、装置。
【請求項１５】
前記命令は、前記装置に、
第３のＴＴＩの間に追加のデータ送信を受信することを行わせるように動作可能であり、ここにおいて、前記制御メッセージが、前記追加のデータ送信のための確認応答情報を備える、
請求項１４に記載の装置。
【請求項１６】
前記第３のＴＴＩが前記第２の持続時間を有する、請求項１５に記載の装置。
【請求項１７】
前記制御メッセージのビットが、前記データ送信のための前記確認応答情報と、前記追加のデータ送信のための前記確認応答情報とに対応する、請求項１６に記載の装置。
【請求項１８】
前記制御メッセージが、前記第１の持続時間をもつＴＴＩの間のデータ送信に対応する第１のフィールドと、前記第２の持続時間をもつＴＴＩの間のデータ送信に対応する第２のフィールドとを備える、請求項１６に記載の装置。
【請求項１９】
前記命令は、前記装置に、
前記第１のフィールドのためのビットの第１の数と、前記第２のフィールドのためのビットの第２の数とを識別することを行わせるように動作可能であり、ここにおいて、ビットの前記第１の数とビットの前記第２の数との和が、前記制御メッセージ中の前記確認応答情報のために利用可能なビットの総数に等しい、
請求項１８に記載の装置。
【請求項２０】
前記命令は、前記装置に、
複数のデータ送信を受信することと、ここにおいて、前記複数のうちの各データ送信が、前記第１の持続時間をもつＴＴＩの間に受信される、
前記制御メッセージ中の前記確認応答情報のために利用可能なビットの数を識別することと、ここにおいて、ビットの前記数が、前記複数のデータ送信の数よりも小さい、
を行わせるように動作可能である、請求項１４に記載の装置。
【請求項２１】
前記命令は、前記装置に、
前記複数のデータ送信のうちの各データ送信のための復号インジケータを備えるシーケンスを識別することと、ここにおいて、前記シーケンスが、復号失敗インジケータのサブシーケンスを備える、
前記サブシーケンスの開始インデックスと、前記サブシーケンスのランレングスとに少なくとも部分的に基づいて、前記シーケンスを圧縮することと
を行わせるように動作可能である、請求項２０に記載の装置。
【請求項２２】
前記制御メッセージが、前記サブシーケンスの前記開始インデックスのインジケータと、前記サブシーケンスの前記ランレングスのインジケータとを備える、請求項２１に記載の装置。
【請求項２３】
前記制御メッセージが、前記サブシーケンスの前記ランレングスのインジケータを備え、ここにおいて、前記サブシーケンスの前記開始インデックスが、ダウンリンク制御メッセージのロケーションに対応する、請求項２１に記載の装置。
【請求項２４】
前記命令が、前記装置に、
前記第１の持続時間を有する第３のＴＴＩの間にダウンリンク制御メッセージを受信することと、
前記ダウンリンク制御メッセージに少なくとも部分的に基づいて、前記制御メッセージの送信のための前記第２のＴＴＩを識別することと
を行わせるように動作可能である、請求項１４に記載の装置。
【請求項２５】
前記命令が、前記装置に、
無線リソース制御（ＲＲＣ）構成に少なくとも部分的に基づいて、前記制御メッセージの送信のための前記第２のＴＴＩを識別すること
を行わせるように動作可能である、請求項１４に記載の装置。
【請求項２６】
前記命令が、前記装置に、
チャネル状態に少なくとも部分的に基づいて、前記制御メッセージの送信のための前記第２のＴＴＩを識別すること
を行わせるように動作可能である、請求項１４に記載の装置。
【請求項２７】
第１の持続時間を有する第１の送信時間間隔（ＴＴＩ）の間にデータ送信を受信するための手段と、
前記第１の持続時間よりも大きい第２の持続時間を有する第２のＴＴＩの間に制御メッセージを送信するための手段と、ここにおいて、前記制御メッセージが、前記データ送信のための確認応答情報を備える、
を備えるワイヤレス通信のための装置。
【請求項２８】
第３のＴＴＩの間に追加のデータ送信を受信するための手段をさらに備え、ここにおいて、前記制御メッセージが、前記追加のデータ送信のための確認応答情報を備える、
請求項２７に記載の装置。
【請求項２９】
前記第３のＴＴＩが前記第２の持続時間を有する、請求項２８に記載の装置。
【請求項３０】
前記制御メッセージのビットが、前記データ送信のための前記確認応答情報と、前記追加のデータ送信のための前記確認応答情報とに対応する、請求項２９に記載の装置。
【請求項３１】
前記制御メッセージが、前記第１の持続時間をもつＴＴＩの間のデータ送信に対応する第１のフィールドと、前記第２の持続時間をもつＴＴＩの間のデータ送信に対応する第２のフィールドとを備える、請求項２９に記載の装置。
【請求項３２】
前記第１のフィールドのためのビットの第１の数と、前記第２のフィールドのためのビットの第２の数とを識別するための手段をさらに備え、ここにおいて、ビットの前記第１の数とビットの前記第２の数との和が、前記制御メッセージ中の前記確認応答情報のために利用可能なビットの総数に等しい、
請求項３１に記載の装置。
【請求項３３】
複数のデータ送信を受信するための手段と、ここにおいて、前記複数のうちの各データ送信が、前記第１の持続時間をもつＴＴＩの間に受信される、
前記制御メッセージ中の前記確認応答情報のために利用可能なビットの数を識別するための手段と、ここにおいて、ビットの前記数が、前記複数のデータ送信の数よりも小さい、
をさらに備える、請求項２７に記載の装置。
【請求項３４】
前記複数のデータ送信のうちの各データ送信のための復号インジケータを備えるシーケンスを識別するための手段と、ここにおいて、前記シーケンスが、復号失敗インジケータのサブシーケンスを備える、
前記サブシーケンスの開始インデックスと、前記サブシーケンスのランレングスとに少なくとも部分的に基づいて、前記シーケンスを圧縮するための手段と
をさらに備える、請求項３３に記載の装置。
【請求項３５】
前記制御メッセージが、前記サブシーケンスの前記開始インデックスのインジケータと、前記サブシーケンスの前記ランレングスのインジケータとを備える、請求項３４に記載の装置。
【請求項３６】
前記制御メッセージが、前記サブシーケンスの前記ランレングスのインジケータを備え、ここにおいて、前記サブシーケンスの前記開始インデックスが、ダウンリンク制御メッセージのロケーションに対応する、請求項３４に記載の装置。
【請求項３７】
前記第１の持続時間を有する第３のＴＴＩの間にダウンリンク制御メッセージを受信するための手段と、
前記ダウンリンク制御メッセージに少なくとも部分的に基づいて、前記制御メッセージの送信のための前記第２のＴＴＩを識別するための手段と
をさらに備える、請求項２７に記載の装置。
【請求項３８】
無線リソース制御（ＲＲＣ）構成に少なくとも部分的に基づいて、前記制御メッセージの送信のための前記第２のＴＴＩを識別するための手段
をさらに備える、請求項２７に記載の装置。
【請求項３９】
チャネル状態に少なくとも部分的に基づいて、前記制御メッセージの送信のための前記第２のＴＴＩを識別するための手段
をさらに備える、請求項２７に記載の装置。
【請求項４０】
ワイヤレス通信のためのコードを記憶する非一時的コンピュータ可読媒体であって、前記コードは、
第１の持続時間を有する第１の送信時間間隔（ＴＴＩ）の間にデータ送信を受信することと、
前記第１の持続時間よりも大きい第２の持続時間を有する第２のＴＴＩの間に制御メッセージを送信することと、ここにおいて、前記制御メッセージが、前記データ送信のための確認応答情報を備える、
を行うために実行可能な命令を備える、非一時的コンピュータ可読媒体。
【発明の詳細な説明】
【相互参照】
【０００１】
[0001]  本特許出願は、各々が本出願の譲受人に譲渡された、２０１６年６月２１日に出願された、「Physical Uplink Control Channel for Low Latency Downlink Communications」と題する、Ｐａｔｅｌらによる米国特許出願第１５／１８８，０９８号、および２０１５年９月２日に出願された、「Physical Uplink Control Channel for Low Latency Downlink Communications」と題する、Ｐａｔｅｌらによる米国仮特許出願第６２／２１３，５６３号の優先権を主張する。
【技術分野】
【０００２】
[0002]  以下は、一般にワイヤレス通信に関し、より詳細には、低レイテンシダウンリンク通信のための物理アップリンク制御チャネル（ＰＵＣＣＨ：physical uplink control channel）に関する。
【背景技術】
【０００３】
[0003]  ワイヤレス通信システムは、音声、ビデオ、パケットデータ、メッセージング、ブロードキャストのような様々なタイプの通信コンテンツを提供するために広く展開されている。これらのシステムは、利用可能なシステムリソース（例えば、時間、周波数、および電力）を共有することによって複数のユーザとの通信をサポートすることが可能であり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムがある。ワイヤレス多元接続通信システムは、場合によってはユーザ機器（ＵＥ：user equipment）として知られていることがある、複数の通信デバイスのための通信を各々が同時にサポートする、いくつかの基地局を含み得る。
【０００４】
[0004]  ＵＥと基地局とは、システム中で使用される他の送信時間間隔（ＴＴＩ：transmission time interval）に対してより短い持続時間を有するＴＴＩを使用することを含み得る、低レイテンシ物理レイヤ（ＰＨＹ：physical layer）構成を使用して通信し得る。これらの低レイテンシ通信は、より長い持続時間ＴＴＩを使用する通信よりも、チャネル状態に対してより敏感であり得る。従って、確認応答情報を含む制御チャネルメッセージのような、いくつかの低レイテンシメッセージが失われ得、これは、ＵＥと基地局との間の通信における遅延および中断を生じ得る。
【発明の概要】
【０００５】
[0005]  ワイヤレスデバイスは、ある持続時間を有する送信時間間隔（ＴＴＩ）の間にデータ送信を受信し得、デバイスは、データがその間に受信されたＴＴＩに対してより長い持続時間を有し得る後続のＴＴＩ中で、データ送信のための確認応答情報をもつ制御メッセージを送信し得る。いくつかの場合には、制御メッセージは、複数のダウンリンク送信のためのバンドルされた確認応答情報を含み得る。例えば、制御メッセージは、異なる、より大きい持続時間を有するＴＴＩの間に受信されたデータのための確認応答情報とバンドルされた、ある持続時間を有するいくつかのＴＴＩの間に受信されたデータのための確認応答情報を含み得る。確認応答情報は、連続する否定応答の開始点（例えば、ＴＴＩインデックス）およびランレングスの指示を使用して圧縮され得、これは、様々な制御メッセージフォーマットのより効率的な使用を可能にし得る。
【０００６】
[0006]  ワイヤレス通信の方法が説明される。本方法は、第１の持続時間を有する第１の送信時間間隔（ＴＴＩ）の間にデータ送信を受信することと、第１の持続時間よりも大きい第２の持続時間を有する第２のＴＴＩの間に制御メッセージを送信することと、ここにおいて、制御メッセージが、データ送信のための確認応答情報を含む、を含み得る。
【０００７】
[0007]  ワイヤレス通信のための装置が説明される。本装置は、第１の持続時間を有する第１のＴＴＩの間にデータ送信を受信するための手段と、第１の持続時間よりも大きい第２の持続時間を有する第２のＴＴＩの間に制御メッセージを送信するための手段と、ここにおいて、制御メッセージが、データ送信のための確認応答情報を含む、を含み得る。
【０００８】
[0008]  ワイヤレス通信のための別の装置が説明される。本装置は、プロセッサと、プロセッサと電子通信しているメモリと、メモリに記憶された命令とを含み得る。命令は、プロセッサによって実行されたとき、本装置に、第１の持続時間を有する第１のＴＴＩの間にデータ送信を受信することと、第１の持続時間よりも大きい第２の持続時間を有する第２のＴＴＩの間に制御メッセージを送信することと、ここにおいて、制御メッセージが、データ送信のための確認応答情報を含む、を行わせるように動作可能であり得る。
【０００９】
[0009]  ワイヤレス通信のための非一時的コンピュータ可読媒体が説明される。本非一時的コンピュータ可読媒体は、第１の持続時間を有する第１のＴＴＩの間にデータ送信を受信することと、第１の持続時間よりも大きい第２の持続時間を有する第２のＴＴＩの間に制御メッセージを送信することと、ここで、制御メッセージが、データ送信のための確認応答情報を含む、を行うための命令を含み得る。
【００１０】
[0010]  上述された方法、装置、または非一時的コンピュータ可読媒体のいくつかの例は、第３のＴＴＩの間に追加のデータ送信を受信するための動作、特徴、手段、または命令を含み得、制御メッセージは、追加のデータ送信のための確認応答情報を含み得る。上述された方法、装置、または非一時的コンピュータ可読媒体のいくつかの例において、第３のＴＴＩは第２のＴＴＩ持続時間を有し得る。
【００１１】
[0011]  上述された方法、装置、または非一時的コンピュータ可読媒体のいくつかの例では、制御メッセージのビットが、データ送信のための確認応答情報と、追加のデータ送信のための確認応答情報とに対応し得る。
【００１２】
[0012]  上述された方法、装置、または非一時的コンピュータ可読媒体のいくつかの例において、制御メッセージは、第１の持続時間をもつＴＴＩの間のデータ送信に対応する第１のフィールドと、第２の持続時間をもつＴＴＩの間のデータ送信に対応する第２のフィールドとを含み得る。
【００１３】
[0013]  上述された方法、装置、または非一時的コンピュータ可読媒体のいくつかの例は、第１のフィールドのためのビットの第１の数と、第２のフィールドのためのビットの第２の数とを識別するための動作、特徴、手段、または命令を含み得、ここで、ビットの第１の数とビットの第２の数との和が、制御メッセージ中の確認応答情報のために利用可能なビットの総数に等しい。
【００１４】
[0014]  上述された方法、装置、または非一時的コンピュータ可読媒体のいくつかの例は、データ送信のセットを受信するための動作、特徴、手段、または命令を含み得、ここで、セットのうちの各データ送信は、第１の持続時間をもつＴＴＩの間に受信される。上述された方法、装置、または非一時的コンピュータ可読媒体のいくつかの例は、制御メッセージ中の確認応答情報のために利用可能なビットの数を識別するための動作、特徴、手段、または命令を含み得、ここで、ビットの数は、データ送信のセットの数よりも小さい。
【００１５】
[0015]  上述された方法、装置、または非一時的コンピュータ可読媒体のいくつかの例は、データ送信のセットのうちの各データ送信のための復号インジケータを含むシーケンスを識別するための動作、特徴、手段、または命令を含み得、ここで、シーケンスは、復号失敗インジケータのサブシーケンスを含む。上述された方法、装置、または非一時的コンピュータ可読媒体のいくつかの例は、サブシーケンスの開始インデックスと、サブシーケンスのランレングスとに基づいて、シーケンスを圧縮するための動作、特徴、手段、または命令を含み得る。
【００１６】
[0016]  上述された方法、装置、または非一時的コンピュータ可読媒体のいくつかの例において、制御メッセージは、サブシーケンスの開始インデックスのインジケータと、サブシーケンスのランレングスのインジケータとを含み得る。
【００１７】
[0017]  上述された方法、装置、または非一時的コンピュータ可読媒体のいくつかの例において、制御メッセージは、サブシーケンスのランレングスのインジケータを含み得、サブシーケンスの開始インデックスは、ダウンリンク（ＤＬ）制御メッセージのロケーションに対応し得る。
【００１８】
[0018]  上述された方法、装置、または非一時的コンピュータ可読媒体のいくつかの例において、制御メッセージの各ビットは、一意のハイブリッド自動再送要求（ＨＡＲＱ）プロセスに対応し得る。
【００１９】
[0019]  上述された方法、装置、または非一時的コンピュータ可読媒体のいくつかの例は、第１のＴＴＩ持続時間を有する第３のＴＴＩの間にＤＬ制御メッセージを受信するための動作、特徴、手段、または命令を含み得る。上述された方法、装置、または非一時的コンピュータ可読媒体のいくつかの例は、ＤＬ制御メッセージに基づいて、制御メッセージの送信のための第２のＴＴＩを識別するための動作、特徴、手段、または命令を含み得る。
【００２０】
[0020]  上述された方法、装置、または非一時的コンピュータ可読媒体のいくつかの例は、無線リソース制御（ＲＲＣ：radio resource control）構成に基づいて、制御メッセージの送信のための第２のＴＴＩを識別するための動作、特徴、手段、または命令を含み得る。
【００２１】
[0021]  上述された方法、装置、または非一時的コンピュータ可読媒体のいくつかの例は、チャネル状態に基づいて、制御メッセージの送信のための第２のＴＴＩを識別するための動作、特徴、手段、または命令をさらに含み得る。
【００２２】
[0022]  ワイヤレス通信の方法が説明される。本方法は、第１の持続時間を有する第１のＴＴＩの間にデータを送信することと、第１の持続時間よりも大きい第２の持続時間を有する第２のＴＴＩの間に制御メッセージを受信することと、ここにおいて、制御メッセージが、データ送信のための確認応答情報を含む、を含み得る。
【００２３】
[0023]  ワイヤレス通信のための装置が説明される。本装置は、第１の持続時間を有する第１のＴＴＩの間にデータを送信するための手段と、第１の持続時間よりも大きい第２の持続時間を有する第２のＴＴＩの間に制御メッセージを受信するための手段と、ここにおいて、制御メッセージが、データ送信のための確認応答情報を含む、を含み得る。
【００２４】
[0024]  ワイヤレス通信のための別の装置が説明される。本装置は、プロセッサと、プロセッサと電子通信しているメモリと、メモリに記憶された命令とを含み得る。命令は、プロセッサによって実行されたとき、本装置に、第１の持続時間を有する第１のＴＴＩの間にデータを送信することと、第１の持続時間よりも大きい第２の持続時間を有する第２のＴＴＩの間に制御メッセージを受信することと、ここにおいて、制御メッセージが、データ送信のための確認応答情報を含む、を行わせるように動作可能であり得る。
【００２５】
[0025]  ワイヤレス通信のための非一時的コンピュータ可読媒体が説明される。本非一時的コンピュータ可読媒体は、第１の持続時間を有する第１のＴＴＩの間にデータを送信することと、第１の持続時間よりも大きい第２の持続時間を有する第２のＴＴＩの間に制御メッセージを受信することと、ここで、制御メッセージが、データ送信のための確認応答情報を含む、を行うための命令を含み得る。
【００２６】
[0026]  上述された方法、装置、または非一時的コンピュータ可読媒体のいくつかの例は、第１のＴＴＩ持続時間を有する第３のＴＴＩの間にデータを再送信するための動作、特徴、手段、または命令を含み得、再送信は確認応答情報に基づき得る。
【００２７】
[0027]  上述された方法、装置、または非一時的コンピュータ可読媒体のいくつかの例は、第１のＴＴＩ持続時間を有する第３のＴＴＩの間にＤＬ制御メッセージを送信するための動作、特徴、手段、または命令を含み得、第２のＴＴＩは、ＤＬ制御メッセージに基づいて、制御メッセージの送信のために識別され得る。
【図面の簡単な説明】
【００２８】
【図１】本開示の態様による、低レイテンシダウンリンク通信に関連する様々な物理アップリンク制御チャネル（ＰＵＣＣＨ）構成をサポートするワイヤレス通信システムの一例を示す図。
【図２】本開示の態様による、低レイテンシダウンリンク通信に関連する様々なＰＵＣＣＨ構成をサポートするワイヤレス通信システムの一例を示す図。
【図３】本開示の態様による、低レイテンシダウンリンク通信のための例示的なＰＵＣＣＨ構成を用いたアップリンク制御プロセスを示す図。
【図４】本開示の態様による、低レイテンシダウンリンク通信のための例示的なＰＵＣＣＨ構成を用いたアップリンク制御プロセスを示す図。
【図５】本開示の態様による、低レイテンシダウンリンク通信に関連する様々なＰＵＣＣＨ構成をサポートするシステム中のプロセスフローの一例を示す図。
【図６】本開示の態様による、低レイテンシダウンリンク通信に関連する様々なＰＵＣＣＨ構成をサポートするワイヤレスデバイスのブロック図。
【図７】本開示の態様による、低レイテンシダウンリンク通信に関連する様々なＰＵＣＣＨ構成をサポートするワイヤレスデバイスのブロック図。
【図８】[0033]  本開示の態様による、低レイテンシダウンリンク通信に関連する様々なＰＵＣＣＨ構成をサポートするＰＵＣＣＨマネージャのブロック図。
【図９】本開示の態様による、低レイテンシダウンリンク通信に関連する様々なＰＵＣＣＨ構成をサポートするＵＥを含むシステムのブロック図。
【図１０】本開示の態様による、低レイテンシダウンリンク通信に関連する様々なＰＵＣＣＨ構成をサポートするワイヤレスデバイスのブロック図。
【図１１】本開示の態様による、低レイテンシダウンリンク通信に関連する様々なＰＵＣＣＨ構成をサポートするワイヤレスデバイスのブロック図。
【図１２】本開示の態様による、低レイテンシダウンリンク通信に関連する様々なＰＵＣＣＨ構成をサポートする基地局ＰＵＣＣＨマネージャのブロック図。
【図１３】本開示の態様による、低レイテンシダウンリンク通信に関連する様々なＰＵＣＣＨ構成をサポートする基地局を含むシステムのブロック図。
【図１４】本開示の態様による、低レイテンシダウンリンク通信に関連する１つまたは複数のＰＵＣＣＨ構成を採用するための方法を示すフローチャート。
【図１５】本開示の態様による、低レイテンシダウンリンク通信に関連する１つまたは複数のＰＵＣＣＨ構成を採用するための方法を示すフローチャート。
【図１６】本開示の態様による、低レイテンシダウンリンク通信に関連する１つまたは複数のＰＵＣＣＨ構成を採用するための方法を示すフローチャート。
【図１７】本開示の態様による、低レイテンシダウンリンク通信に関連する１つまたは複数のＰＵＣＣＨ構成を採用するための方法を示すフローチャート。
【図１８】本開示の態様による、低レイテンシダウンリンク通信に関連する１つまたは複数のＰＵＣＣＨ構成を採用するための方法を示すフローチャート。
【図１９】本開示の態様による、低レイテンシダウンリンク通信に関連する１つまたは複数のＰＵＣＣＨ構成を採用するための方法を示すフローチャート。
【発明を実施するための形態】
【００２９】
[0039]  いくつかのワイヤレスシステムは、レイテンシを減少させるために、並びに拡張スループットおよび低減パケット確認応答応答タイミングを与えるために、他の送信時間間隔（ＴＴＩ）に対してより短い持続時間を有するＴＴＩを使用し得る。これらのワイヤレスシステムは、比較的より短いＴＴＩの間に受信されたダウンリンク通信のためのアップリンク制御情報（ＵＣＩ：uplink control information）を通信するために、様々な物理アップリンク制御チャネル（ＰＵＣＣＨ）構成を使用し得る。ＵＣＩは、例えば、ハイブリッド自動再送要求（ＨＡＲＱ：hybrid automatic repeat request）情報またはスケジューリング要求を含み得る。また、比較的より短い持続時間ＴＴＩを採用する通信は、より短い持続時間ＴＴＩを使用する通信が、より長い持続時間のＴＴＩを使用する通信と比較してレイテンシを減少させ得るので、低レイテンシ通信と呼ばれることがある。いくつかの場合には、以下でさらに詳細に説明されるように、低レイテンシ通信は、異なるヌメロロジー（numerology）およびタイミングを使用し得、他の場合には、ヌメロロジーおよびタイミングは、比較的より長いＴＴＩの間の通信と同じであり得る（例えば、１５ｋＨｚトーン間隔および直交シンボル持続時間）。
【００３０】
[0040]  低レイテンシ通信をサポートするワイヤレスシステムは、従って、例えば、１つのシンボル、２つのシンボル、または１つのスロットのＴＴＩを使用するかまたは含み得る。ＰＵＣＣＨ、例えば、１サブフレームＴＴＩの少なくとも一部分を占有するＰＵＣＣＨが、ダウンリンク低レイテンシ送信のための制御情報を送信するために使用され得る。このタイプのＰＵＣＣＨは、様々な例において、非低レイテンシＰＵＣＣＨ、レガシーＰＵＣＣＨ、または１サブフレームベースＰＵＣＣＨと呼ばれることがある。いくつかの場合には、より短い持続時間ＴＴＩ（例えば、１つのシンボル、２つのシンボル、１つのスロットなど）の一部または全部を占有するＰＵＣＣＨが使用され得る。この後者のタイプのＰＵＣＣＨは、低レイテンシＰＵＣＣＨまたはｕＰＵＣＣＨと呼ばれることがある。ユーザ機器（ＵＥ）は、ｕＰＵＣＣＨ、またはＰＵＣＣＨ、またはｕＰＵＣＣＨとＰＵＣＣＨの両方を含む、異なるＰＵＣＣＨ構成を使用する動作をサポートし得る。例えば、不良なチャネル状態にあるＵＥは、（例えば、１シンボルＴＴＩ、２シンボルＴＴＩ、または１スロットＴＴＩを使用する）ダウンリンク低レイテンシ送信のためのＨＡＲＱフィードバックを与えるために、１サブフレームベースＰＵＣＣＨを利用し得、比較的より良いチャネル状態にあるＵＥは、低レイテンシＰＵＣＣＨを使用し得る。
【００３１】
[0041]  ある場合には、ＰＵＣＣＨメッセージは、メッセージペイロードの一部分が確認応答情報（例えば、本明細書で説明される、肯定応答（ＡＣＫ：acknowledgment）または否定応答（ＮＡＣＫ：negative acknowledgment）のようなＨＡＲＱ情報）のために指定されるフォーマットを有し得る。ペイロードは、低レイテンシ通信のために指定される部分と分離され得る。ペイロードの低レイテンシ部分とペイロードの他の部分との間の分離は、動的であり得、１ｍｓ  ＴＴＩのような、比較的より大きいＴＴＩの一部または全部を占有する物理ダウンリンク共有チャネル（ＰＤＳＣＨ：physical downlink shared channel）のための公称ＨＡＲＱペイロードサイズのようなファクタに基づき得る。このタイプのＰＤＳＣＨは、いくつかの例において、非低レイテンシまたはレガシーＰＤＳＣＨと呼ばれることがある。
【００３２】
[0042]  非低レイテンシＰＤＳＣＨ確認応答情報（例えば、ＨＡＲＱ）のための公称ペイロードは、ＵＥのために構成されたコンポーネントキャリア（ＣＣ：component carrier）の数、各ＣＣのためのダウンリンク送信モード、複信構成、ダウンリンクまたはアップリンクサブフレーム構成などを含む、１つまたは複数のファクタに基づき得る。いくつかの場合には、低レイテンシ確認応答情報と非低レイテンシ確認応答情報との間のペイロードの分離が構成可能であり得る。構成可能な分離は、基地局が低レイテンシデータのためのＨＡＲＱと非低レイテンシデータのためのＨＡＲＱとの間のトレードオフを管理する際のフレキシビリティを与え得る。
【００３３】
[0043]  低レイテンシワイヤレスシステムのためのＰＵＣＣＨ（例えば、レガシーＰＵＣＣＨ）の使用は、ダウンリンク制御チャネルまたは専用シグナリング、あるいはその両方を使用して、半静的にまたは動的にトリガされ得る。以下でさらに説明されるように、トリガすることが、非低レイテンシ制御チャネル（例えば、物理ダウンリンク制御チャネル（ＰＤＣＣＨ））を用いて、または無線リソース制御（ＲＲＣ）シグナリングを用いて達成される場合、共通ＰＵＣＣＨメッセージ内でバンドルされる低レイテンシ送信のためのウィンドウサイズは、低レイテンシ送信を含む無線フレームのサブフレーム境界と整合され得、トリガすることが、より短い持続時間ＴＴＩ中のダウンリンク制御チャネル（例えば、低レイテンシＰＤＣＣＨ、ｕＰＤＣＣＨなど）を用いて達成される場合、共通ＰＵＣＣＨ内でバンドルされる低レイテンシ送信のためのウィンドウサイズは、サブフレーム境界と整合されないことがある。
【００３４】
[0044]  上記で紹介された本開示の態様は、ワイヤレス通信システムのコンテキストにおいて以下でさらに説明される。ＰＵＣＣＨ構成を含む、物理リソース構成のタイミングと、物理リソース構成との追加の詳細および例も説明される。本開示の態様は、さらに、低レイテンシダウンリンク通信に関連する様々なＰＵＣＣＨ構成に関係する装置図、システム図、およびフローチャートによって示され、それらを参照して説明される。
【００３５】
[0045]  図１は、本開示の様々な態様による、低レイテンシダウンリンク通信に関連する様々な物理アップリンク制御チャネル（ＰＵＣＣＨ）構成をサポートするワイヤレス通信システム１００の一例を示す。ワイヤレス通信システム１００は、基地局１０５と、ＵＥ１１５と、コアネットワーク１３０とを含む。いくつかの例において、ワイヤレス通信システム１００はロングタームエボリューション（ＬＴＥ（登録商標））／ＬＴＥアドバンスト（ＬＴＥ−Ａ）ネットワークであり得る。ワイヤレス通信システム１００は、ＴＴＩの様々な持続時間を使用することによって低レイテンシ通信をサポートし得、低レイテンシデータ送信に関連するアップリンク制御情報を与えるための様々なＰＵＣＣＨ構成をサポートし得る。
【００３６】
[0046]  基地局１０５は、１つまたは複数の基地局アンテナを介してＵＥ１１５とワイヤレス通信し得る。各基地局１０５は、それぞれの地理的カバレージエリア１１０に通信カバレージを与え得る。ワイヤレス通信システム１００に示されている通信リンク１２５は、ＵＥ１１５から基地局１０５へのアップリンク（ＵＬ）送信、または基地局１０５からＵＥ１１５へのダウンリンク（ＤＬ）送信を含み得る。いくつかの例において、通信リンク１２５は、システム１００中で使用される他のＴＴＩと比較して、比較的より短い持続時間のＴＴＩを含む。
【００３７】
[0047]  ＵＥ１１５は、ワイヤレス通信システム１００全体にわたって分散され得、各ＵＥ１１５は固定または移動であり得る。ＵＥ１１５は、移動局、加入者局、リモートユニット、ワイヤレスデバイス、アクセス端末（ＡＴ）、ハンドセット、ユーザエージェント、クライアント、または同様の用語で呼ばれることもある。ＵＥ１１５は、セルラーフォン、ワイヤレスモデム、ハンドヘルドデバイス、パーソナルコンピュータ、タブレット、パーソナル電子デバイス、マシンタイプ通信（ＭＴＣ）デバイスなどでもあり得る。ＵＥ１１５のうちのいくつかは、より短い持続時間ＴＴＩ（例えば、１つのシンボル、２つのシンボル、１つのスロットなど）を使用する通信をサポートする。これらのＵＥ１１５は、低レイテンシＵＥ１１５と呼ばれることがある。いくつかのＵＥ１１５は、低レイテンシ通信をサポートしないことがあり、低レイテンシＵＥ１１５よりも前のバージョンのワイヤレス通信規格（例えば、前のＬＴＥ／ＬＴＥ−Ａリリース）に従って動作し得る。これらのＵＥ１１５は、レガシーＵＥ１１５または非低レイテンシＵＥ１１５と呼ばれることがある。
【００３８】
[0048]  基地局１０５は、コアネットワーク１３０および互いと通信し得る。例えば、基地局１０５は、バックホールリンク１３２（例えば、Ｓ１など）を通してコアネットワーク１３０とインターフェースし得る。基地局１０５は、直接または間接的にのいずれかで（例えば、コアネットワーク１３０を通して）バックホールリンク１３４（例えば、Ｘ２など）を介して互いと通信し得る。基地局１０５は、ＵＥ１１５との通信のための無線構成およびスケジューリングを行い得るか、または基地局コントローラ（図示せず）の制御下で動作し得る。いくつかの例において、基地局１０５は、マクロセル、スモールセル、ホットスポットなどであり得る。基地局１０５はｅノードＢ（発展型ノードＢ（ｅＮＢ））１０５と呼ばれることもある。
【００３９】
[0049]  ワイヤレス通信システム１００は、フレーム構造を使用し得る、物理リソースを編成するために使用され得る。フレームは１０ｍｓ間隔であり得、それは、１０個の等しいサイズのサブフレームにさらに分割され得る。各サブフレームは、２つの連続するスロット（例えば、タイムスロット）を含み得る。各スロットは、６つまたは７つのＯＦＤＭＡシンボル期間を含み得る。リソース要素は、１つのシンボル期間と１つのサブキャリア（１５ＫＨｚ周波数範囲）とからなる。リソースブロックは、周波数領域中に１２個の連続するサブキャリアを含んでおり、各直交周波数分割多重（ＯＦＤＭ）シンボル中のノーマルサイクリックプレフィックスについて、時間領域（１つのスロット）中に７つの連続するＯＦＤＭシンボルを含んでおり、すなわち８４個のリソース要素を含んでいることがある。ＴＴＩはスケジューリングの基本ユニットであり得る。いくつかの場合には（例えば、非低レイテンシ通信の場合）、ＴＴＩ長さは、１つのＬＴＥサブフレーム（例えば、１ｍｓ）であり得、他の場合には（例えば、低レイテンシ通信の場合）、ＴＴＩ長さは、１つのシンボル期間、２つのシンボル期間、１つのスロットなどであり得る。低レイテンシＵＥ１１５は、より短い持続時間ＴＴＩ長さとより長い持続時間ＴＴＩ長さの両方を使用して通信し得る。
【００４０】
[0050]  いくつかの場合には、ワイヤレス通信システム１００は、１つの拡張コンポーネントキャリア（ｅＣＣ）または２つ以上のｅＣＣを利用し得る。ｅＣＣは、フレキシブル帯域幅、異なるＴＴＩ、および変更された制御チャネル構成を含む、１つまたは複数の特徴によって特徴づけられ得る。いくつかの場合には、ｅＣＣは、（例えば、複数のサービングセルが準最適バックホールリンクを有するとき）ＣＡ構成またはデュアル接続性構成に関連付けられ得る。ｅＣＣはまた、（例えば、２つ以上の事業者が、スペクトルを使用するのを認可された場合、１つまたは複数のデバイスが、共有スペクトルにアクセスするために競合プロシージャを行い得るとき、など）無認可スペクトルまたは共有スペクトル中で使用するために構成され得る。フレキシブル帯域幅によって特徴づけられるｅＣＣは、全帯域幅を監視することを行わないかまたはそれが可能でないか、あるいは（例えば、電力を節約するために）限られた帯域幅を使用することを選好するＵＥ１１５によって利用され得る１つまたは複数のセグメントを含み得る。いくつかの場合には、ｅＣＣは、他のＣＣとは異なるＴＴＩ長を利用し得、これは、他のＣＣのＴＴＩと比較して低減されたまたは可変のシンボル持続時間の使用を含み得る。いくつかの場合には、シンボル持続時間は同じままであり得るが、各シンボルは別個のＴＴＩを表し得る。
【００４１】
[0051]  いくつかの例では、ｅＣＣが、異なるＴＴＩ長に関連する複数の階層レイヤを含み得る。例えば、ある階層レイヤにおけるＴＴＩは均一な１ｍｓサブフレームに対応し得るが、第２のレイヤにおいて、可変長ＴＴＩは短い持続時間シンボル期間のバーストに対応し得る。いくつかの場合には、より短いシンボル持続時間も、増加されたサブキャリア間隔に関連し得る。低減ＴＴＩ長と併せて、ｅＣＣは、動的時分割複信（ＴＤＤ）動作を利用し得る（例えば、動的条件に従って短いバーストのためにＤＬ動作からＵＬ動作に切り替わり得る）。フレキシブル帯域幅および可変ＴＴＩは、変更制御チャネル構成に関連し得る（例えば、ｅＣＣは、ＤＬ制御情報のために拡張物理ダウンリンク制御チャネル（ｅＰＤＣＣＨ）を利用し得る）。例えば、ｅＣＣの１つまたは複数の制御チャネルは、フレキシブル帯域幅使用に適応するために、周波数分割多重化（ＦＤＭ）スケジューリングを利用し得る。他の制御チャネル変更は、（例えば、ｅＭＢＭＳスケジューリングのための、または可変長ＵＬおよびＤＬバーストの長さを示すための）追加の制御チャネルの使用、あるいは異なる間隔で送信される制御チャネルの使用を含む。ｅＣＣは、変更または追加ＨＡＲＱ関係制御情報をも含み得る。
【００４２】
[0052]  可変長ＴＴＩは、ダウンリンクとアップリンクの両方のために使用され得、低減または低レイテンシ通信に関連し得る。例えば、低レイテンシ通信は、物理ダウンリンク共有チャネル（ＰＤＳＣＨ）上でのダウンリンク送信と、後続の物理アップリンク制御チャネル（ＰＵＣＣＨ）上での確認応答とを伴い得る。ＰＵＣＣＨは、ダウンリンク送信に確認応答すること、スケジューリング要求（ＳＲ：scheduling request）およびチャネル品質インジケータ（ＣＱＩ：channel quality indicator）および他のＵＬ制御情報のために使用され得る。
【００４３】
[0053]  ＰＵＣＣＨは、いくつかの場合には、コードと２つの連続するリソースブロックとによって定義される制御チャネルにマッピングされ得る。アップリンク制御シグナリングは、セルのためのタイミング同期の存在に依存し得る。ＳＲおよびＣＱＩ報告のためのＰＵＣＣＨリソースは、ＲＲＣシグナリングを通して割り当てられ（および取り消され）得る。いくつかの場合には、ＳＲのためのリソースは、ランダムアクセスチャネル（ＲＡＣＨ：random access channel）プロシージャを通して同期を獲得した後に割り当てられ得る。他の場合には、ＳＲはＲＡＣＨを通してＵＥ１１５に割り当てられないことがある（例えば、同期ＵＥは専用ＳＲチャネルを有することも有しないこともある）。ＳＲおよびＣＱＩのためのＰＵＣＣＨリソースは、ＵＥがもはや同期されないときに失われ得る。いくつかの場合には、上述のように、低レイテンシＰＵＣＣＨは、ｕＰＵＣＣＨと呼ばれることがあり、より短い持続時間ＴＴＩ（例えば、１つのシンボル、２つのシンボル、１つのスロットなど）の間に送信され得る。ｕＰＵＣＣＨは、アップリンクＴＴＩの間に他のチャネルと多重化され得る。
【００４４】
[0054]  確認応答情報はＨＡＲＱプロセスの一態様であり得る。ＨＡＲＱは、データが通信リンク１２５上で正確に受信されることを保証する方法であり得る。ＨＡＲＱは、（例えば、ＣＲＣを使用する）誤り検出と、ＦＥＣと、再送信（例えば、自動再送要求（ＡＲＱ））との組合せを含み得る。ＨＡＲＱは、不良な無線状態（例えば、信号対雑音状態）において媒体アクセス制御（ＭＡＣ）レイヤにおけるスループットを改善し得る。インクリメンタル冗長ＨＡＲＱでは、不正確に受信されたデータが、データを正常に復号することの全体的尤度を改善するために、バッファに記憶され、後続の送信と組み合わせられ得る。いくつかの場合には、冗長ビットが、送信より前に各メッセージに追加される。これは、不良な状態において特に有用であり得る。他の場合には、冗長ビットは、各送信に追加されないが、元のメッセージの送信機が、メッセージが正常に復号されたというＡＣＫでなく、情報を復号する試みの失敗を示すＮＡＣＫを受信した後に再送信される。送信、応答および再送信のチェーンは、ＨＡＲＱプロセスと呼ばれることがある。いくつかの場合には、所与の通信リンク１２５のために、限られた数のＨＡＲＱプロセスが使用され得る。
【００４５】
[0055]  ＨＡＲＱ再送信は再送信遅延に関連し得る。例えば、いくつかの場合には、ＨＡＲＱフィードバックは、正しく受信されなかったＤＬ送信の４ｍｓ後に送られ、基地局は、（８ｍｓのラウンドトリップ時間の間）フィードバックを受信した４ｍｓ後にデータを再送信する。いくつかの場合には、このレイテンシは、ＴＴＩ長さを低減することによって、（例えば、本明細書で説明される、より短い持続時間ＴＴＩを採用することによって）低減され得る。例えば、ＴＴＩ持続時間が１つのシンボル期間である場合、ラウンドトリップ時間は、１ｍｓよりも少ないかまたはそれに等しいことがある。とはいえ、いくつかの無線状態（例えば、不良なアップリンク状態）の下で、低レイテンシデータ送信は、アップリンク送信のためのより長い持続時間ＴＴＩを使用することによって、より効率的に確認応答され得る。
【００４６】
[0056]  従って、ＵＥ１１５は、低レイテンシデータ送信を受信し、低レイテンシデータ送信に応答して、非低レイテンシＰＵＣＣＨメッセージを送信し得る。いくつかの場合には、ＰＵＣＣＨメッセージは、複数の低レイテンシ送信のためのバンドルされたＨＡＲＱフィードバックを含み得る。ＰＵＣＣＨメッセージは、非低レイテンシ送信のための確認応答情報とバンドルされた低レイテンシ送信のためのＨＡＲＱフィードバックを含み得る。いくつかの場合には、ＨＡＲＱフィードバックは、連続するＮＡＣＫの開始点およびランレングスに基づいて圧縮される。サービング基地局１０５は、非低レイテンシ制御メッセージを受信し、制御メッセージがＮＡＣＫを含む場合、低レイテンシデータチャネルを使用してデータを再送信し得る。
【００４７】
[0057]  図２は、本開示の態様による、低レイテンシダウンリンク通信に関連する様々なＰＵＣＣＨ構成をサポートするワイヤレス通信システム２００の一例を示す。ワイヤレス通信システム２００は、図１を参照して説明された対応するデバイスの例であり得る、地理的カバレージエリア１１０−ａを有する基地局１０５−ａと、ＵＥ１１５−ａとを含み得る。ワイヤレス通信システム２００は、（例えば、非低レイテンシチャネル２０５を使用する）基地局１０５−ａとＵＥ１１５−ａとの間の低レイテンシデータ送信に応答して、（例えば、非低レイテンシチャネル２１０を使用する）非低レイテンシアップリンク制御メッセージの使用をサポートし得る。
【００４８】
[0058]  ワイヤレス通信システム２００は、拡張スループットおよび低減パケット確認応答応答タイミングを与えるために、低レイテンシ通信を利用し得る。これらのワイヤレスシステムは、ＨＡＲＱ情報またはスケジューリング要求のような低レイテンシ通信のためのＵＣＩを通信するために、非低レイテンシＰＵＣＣＨを利用し得る。いくつかの場合には、低レイテンシ通信は、異なるヌメロロジーおよびタイミングを使用し得るが、他の場合には、ヌメロロジーおよびタイミングは、非低レイテンシ通信と同じであり得る（例えば、１５ｋＨｚトーン間隔および直交シンボル持続時間）。
【００４９】
[0059]  低レイテンシ通信は、例えば、１シンボルＴＴＩ、２シンボルＴＴＩ、または１スロットＴＴＩの異なるＴＴＩ長さに基づき得る。非低レイテンシＰＵＣＣＨ、例えば、１スロットまたは１サブフレームベースＰＵＣＣＨあるいは同様の長さの物理アップリンク共有チャネル（ＰＵＳＣＨ）が、ダウンリンク低レイテンシ送信のためのＨＡＲＱを扱うために使用され得る。非低レイテンシ（例えば、１サブフレーム）ＰＵＣＣＨが、ｕＰＵＣＣＨベースＨＡＲＱフィードバックに加えて、または、それの代わりとして使用され得る。同期周波数分割複信（ＦＤＤ）ワイヤレスシステムにおいて、各低レイテンシＴＴＩは、最高、例えば、８つのＨＡＲＱプロセスを含み得る。
【００５０】
[0060]  ＰＵＣＣＨは、アップリンク制御情報の異なる組合せのための様々なフォーマット（例えば、ＰＵＣＣＨフォーマット１、１ａ、１ｂ、２など）を有し得る。一部または全部のＰＵＣＣＨフォーマットは、低レイテンシ通信に適合し得る。低レイテンシシステムに適合するＰＵＣＣＨフォーマットは、非低レイテンシ物理ダウンリンク共有チャネル（ＰＤＳＣＨ）ＨＡＲＱフィードバックをもサポートし得る。
【００５１】
[0061]  ＵＥ１１５−ａは、フィードバックを送信するために、ｕＰＵＣＣＨまたは非低レイテンシＰＵＣＣＨのいずれか、あるいはｕＰＵＣＣＨと非低レイテンシＰＵＣＣＨの両方をサポートし得る。ＵＥ１１５−ａが不良な無線状態にあるシナリオでは、非低レイテンシＰＵＣＣＨベースＨＡＲＱフィードバックが採用され得る。例えば、ＵＥ１１５−ａが不良なチャネル状態にある場合、それは、ダウンリンク低レイテンシ送信（例えば、１シンボルＴＴＩ、２シンボルＴＴＩ、または１スロットＴＴＩを使用するダウンリンク送信）のためのＨＡＲＱフィードバックを与えるために、１サブフレームベースＰＵＣＣＨを利用し得、比較的より良いチャネル状態にあるＵＥ１１５は、ｕＰＵＣＣＨを使用し得る。チャネル状態は、様々な例において、基準信号受信電力（ＲＳＲＰ：reference signal received power）、チャネル状態情報（ＣＳＩ：channel state information）報告、または他の方法に基づいて決定され得る。基地局１０５−ａは、他の再送信、例えば、ＲＲＣ信号に基づく再送信よりも速くなり得る再送信を行うために、グループ確認応答信号を使用し得る。
【００５２】
[0062]  一例として、ＰＵＣＣＨフォーマット１ａ（または１ｂ）のようなＰＵＣＣＨフォーマットは、１ビット（または２ビット）を搬送し得る。ＰＵＣＣＨは、それが、低レイテンシデータ送信と非低レイテンシデータ送信の両方に対応する場合、様々な方法でペイロードを利用し得る。例えば、ＰＵＣＣＨフォーマットが、フォーマット１ａのような１ビットＰＵＣＣＨである場合、１ビットは、バンドルされた低レイテンシ確認応答情報と非低レイテンシ確認応答情報とを含み得る。１ｂのような、２ビットＰＵＣＣＨフォーマットの場合、ＰＵＣＣＨは、低レイテンシデータのための１ビットと、非低レイテンシデータのための１ビットとを含み得る。例えば、一方のビットは、非低レイテンシデータが、多入力多出力（ＭＩＭＯ）送信モードまたは複数のサブフレームに関連する場合、非低レイテンシデータのためのＡＣＫ／ＮＡＣＫバンドリングのために使用され得る。他方のビットは、１つのＰＵＣＣＨによって扱われる複数の低レイテンシ送信があり得るので、低レイテンシデータのためのバンドルされたＡＣＫ／ＮＡＣＫ情報を含み得る。システムが、（例えば、非低レイテンシＰＤＳＣＨを用いない）低レイテンシモードでの動作である場合、ＰＵＣＣＨメッセージのペイロード全体は、低レイテンシ送信に専用であり得る。
【００５３】
[0063]  チャネル選択を用いた、１ａまたは１ｂのようなＰＵＣＣＨフォーマットが使用される場合、ＰＵＣＣＨは、例えば、４ビットを含み得、同様の設計が採用され得る。例えば、ワイヤレスシステムは、低レイテンシ送信のために２ビットを使用し得、非低レイテンシ送信のために２ビットを使用し得る。これらの４ビットＰＵＣＣＨフォーマットの場合、ＡＣＫ／ＮＡＣＫバンドリングは、低レイテンシＰＤＳＣＨ送信または非低レイテンシＰＤＳＣＨ送信のために依然として適切であり得る。１または２ビットＨＡＲＱ  ＡＣＫ／ＮＡＣＫを用いた、２、２ａまたは２ｂのようなＰＵＣＣＨフォーマットは、ＰＵＣＣＨフォーマット１ａまたは１ｂと同様の様式で利用され得る。
【００５４】
[0064]  ＰＵＣＣＨフォーマット３のようないくつかのＰＵＣＣＨフォーマットでは、ＰＵＣＣＨフォーマット３中の２１ビットのような、より多数のビットがＡＣＫ／ＮＡＣＫのために使用され得る。他のフォーマットでは、一層より多数のＡＣＫ／ＮＡＣＫビットが使用され得る。ＨＡＲＱバンドリングは、ＰＵＣＣＨフォーマット３またはあり得る将来のＰＵＣＣＨフォーマットのような多数のビットをもつＰＵＣＣＨフォーマットのために依然として使用され得る。例えば、ＨＡＲＱバンドリングは、ＨＡＲＱペイロードがＰＵＣＣＨフォーマットの容量に一致しない場合に使用され得る。ＨＡＲＱバンドリングは、カバレージ拡張技法とともにＨＡＲＱペイロード（例えば、繰返しレベル）を低減するために、またはアップリンクオーバーヘッドを低減するためにも使用され得る。低レイテンシのためのＰＵＣＣＨフォーマット（例えば、ＰＵＣＣＨフォーマット１、１ａ、１ｂ、２、３など）は、動的に示されるために半静的に構成され得る。いくつかの場合には、低レイテンシ送信の再送信は、非低レイテンシＰＤＳＣＨを使用して行われ得る。
【００５５】
[0065]  ＨＡＲＱペイロードの低レイテンシ部分とＨＡＲＱペイロードの非低レイテンシ部分との間の分割または分離は、動的であり得、非低レイテンシＰＤＳＣＨのための、公称ＨＡＲＱペイロードサイズのようなファクタに基づき得る。非低レイテンシＰＤＳＣＨのための公称ＨＡＲＱペイロードは、ＵＥ１１５−ａのために構成された非低レイテンシＰＤＳＣＨコンポーネントキャリア（ＣＣ）の数と、各ＣＣのためのダウンリンク送信モードと、複信構成と、ダウンリンクまたはアップリンクサブフレーム構成と、他のファクタとに基づき得る。ＨＡＲＱペイロードの分離は、特定のＰＵＣＣＨ送信機会に関連する、低レイテンシＣＣの数または低レイテンシ送信の数に基づき得る公称低レイテンシペイロードにも基づき得る。ＨＡＲＱペイロードの分離は、ＨＡＲＱ終了ターゲット、ＨＡＲＱ重要性、または低レイテンシデータおよび非低レイテンシデータの優先度付けにも基づき得る。
【００５６】
[0066]  いくつかの場合には、低レイテンシと非低レイテンシとの間のＨＡＲＱペイロードの分離が構成可能であり得る。構成可能な分離は、基地局が低レイテンシデータのためのＨＡＲＱと非低レイテンシデータのためのＨＡＲＱとの間のトレードオフを管理する際のフレキシビリティを与え得る。例えば、合計１０ビットＡＣＫ／ＮＡＣＫペイロードにおいて、低レイテンシと非低レイテンシとの間の分離は、例えば、それぞれ４ビットおよび６ビットであり得る。または、別の状況において、低レイテンシと非低レイテンシとの間の分離は、それぞれ６ビットおよび４ビットであり得る。
【００５７】
[0067]  ＰＵＣＣＨは、ＦＤＤワイヤレスシステムにおいて、サブフレーム中で、最高、例えば、１４個の低レイテンシ送信のためのＨＡＲＱフィードバックを与え得る。ＴＤＤでは、単一のＰＵＣＣＨ送信中でＨＡＲＱフィードバックを要求するより多くのサブフレームがあり得る。いくつかの場合には、ＡＣＫ／ＮＡＣＫバンドリング（例えば、空間領域バンドリング、時間領域バンドリング、ＣＣ領域バンドリングなど）は、適切なフィードバックを与えないことがある。不適切なフィードバックの例は、（例えば、空間バンドリングのみを与える）バンドリング制限、または、例えば、低レイテンシのための大きいＨＡＲＱペイロードが、より小さい低レイテンシカバレージおよび大きいアップリンクオーバーヘッドに関連し得ることを含み得る。
【００５８】
[0068]  いくつかの場合には、Ｎ個の低レイテンシ送信機会が、ＰＵＣＣＨ中のＨＡＲＱフィードバックを要求し得る。ＨＡＲＱフィードバックは、復号失敗をもつ第１の低レイテンシＰＤＳＣＨ送信のインデックスと、連続する復号失敗のランレングスの指示とを含み得る。Ｎ＝１４個の送信と１つのシンボルの低レイテンシＴＴＩとを例として挙げる。低レイテンシ送信機会は、インデックス０、１、２、．．．１３において生じ得る。６ビット低レイテンシＨＡＲＱペイロードの場合、ＵＥ１１５−ａは、例えば、（例えば、Ｎ＝１４個の可能性をカバーする）４ビットを使用して開始インデックスを示し得る。ＵＥ１１５−ａはランレングスをも示し得る。ランレングスインジケータは、例えば、ランレングスが、１つの失敗、２つの失敗、または３つの失敗を含み得ることを示すために、２ビットを使用し得る。残りのビット組合せは、現在の低レイテンシ送信および全ての残りの低レイテンシ送信が、復号失敗に関連し得ることを示すために使用され得る。
【００５９】
[0069]  例えば、ＵＥ１１５−ａは、それが、例えば、インデックス４、５、７、８および９において低レイテンシを用いてスケジュールされたことを検出し得る。ＵＥが、インデックス７および８を復号することに失敗した場合、ＨＡＲＱペイロードは、例えば、失敗が、インデックス７において開始し、２つのインデックスのランレングスを含み得ることを示し得る「０１１１  ０１」であり得る。別の例において、ＵＥ１１５−ａは、インデックス７、８、および９を復号することに失敗し得る。この例において、ＨＡＲＱペイロードは、例えば、失敗が、インデックス７において開始し、３つのインデックスの失敗ランレングスを有することを示し得る「０１１１  １０」であり得る。ＵＥ１１５−ａが、それがダウンリンク低レイテンシ送信機会においてスケジュールされたことを検出しなかった場合、ＵＥ１１５−ａは、ダウンリンク低レイテンシ送信をＡＣＫとして扱い得る。代替的に、ＵＥ１１５−ａは送信をＮＡＣＫとして扱い得る。次いで、例えば、ＵＥ１１５−ａが、インデックス７および８を復号することに失敗した場合、ＨＡＲＱペイロードは、例えば、「００００」（例えば、ＵＥ１１５−ａが、第１の送信機会において低レイテンシ送信を検出しなかった）＋「１０」であり得る。この手法は、送信の始まりにおいてスケジュールされない場合、あまり適切でないことがある。
【００６０】
[0070]  同じＰＵＣＣＨ中のフィードバックを必要とする低レイテンシ送信の数が大きい場合、低レイテンシＨＡＲＱプロセスの数は同様に大きくなり得る。いくつかの場合には、所定の数（例えば、８つ）のＨＡＲＱプロセスが、（例えば、ソフトバッファ管理のために）使用され得る。従って、ＵＥのが１４個の送信のためにスケジュールされた、いくつかのＨＡＲＱプロセスは、２つ以上のダウンリンク低レイテンシ送信に関連し得る。ＡＣＫ／ＮＡＣＫバンドリングは、プロセスのＨＡＲＱ送信のために行われ得る。ＵＥ１１５−ａが、同じＨＡＲＱプロセスを使用して２つ以上の送信を検出した場合、それは、最新の受信された低レイテンシ送信のためのソフトチャネルビットを記憶し得る。代替的に、ワイヤレスシステムは、基地局が、一定数（例えば、８の限度）のダウンリンク送信をスケジュールするにすぎないことがあるという制限を課し得る。
【００６１】
[0071]  低レイテンシワイヤレスシステムのためのＰＵＣＣＨの使用は、半静的にまたは動的にトリガされ得る。例えば、トリガが、非低レイテンシ制御チャネルを使用して、またはＲＲＣ構成を使用して行われる場合、同じＰＵＣＣＨの下での低レイテンシ送信のためのウィンドウサイズは、サブフレーム境界と整合され得る。トリガが、低レイテンシＰＤＣＣＨを使用して行われる場合、ウィンドウは、サブフレーム境界と整合されないことがある。従って、ＰＤＣＣＨが、受信に失敗したｕＰＵＣＣＨに応答して基地局によって送られる場合、基地局は、ＮＡＣＫのランの開始インデックスをすでに知り得、インデックスは、対応するＰＵＣＣＨ中でＵＥによって省略され得る。
【００６２】
[0072]  図３は、本開示の態様による、低レイテンシダウンリンク通信のための例示的なＰＵＣＣＨ構成を用いたアップリンク制御プロセス３００を示す。いくつかの場合には、アップリンク制御プロセス３００は、図１および図２を参照して説明されたように、ＵＥ１１５または基地局１０５によって行われる技法の態様を表し得る。
【００６３】
[0073]  図３の例において、アップリンク制御プロセス３００は、ＦＤＤ構成のダウンリンクキャリア３０５上のダウンリンクＴＴＩ３１５の間の低レイテンシダウンリンク送信と、ＦＤＤ構成のアップリンクキャリア３１０上のアップリンクＴＴＩ３２０（例えば、サブフレーム）の間に非低レイテンシＰＵＣＣＨ上で送信されるＨＡＲＱフィードバックとを示す。アップリンクＴＴＩ３２０は、ダウンリンクＴＴＩ３１５とは異なる、より大きい持続時間を有し得る。いくつかの場合には、ダウンリンクＴＴＩ３１５は、ダウンリンクキャリア３０５のサブフレーム３１６と整合する。例えば、低レイテンシのためのダウンリンクＴＴＩ３１５のＴＴＩ長さは、１つのシンボル期間、２つのシンボル期間、１つのスロット長さ、または別の持続時間に等しくなり得る。アップリンクＴＴＩ３２０の（および、概してアップリンクキャリア３１０の）ＴＴＩ持続時間は、１つのサブフレーム（例えば、１ｍｓ）、またはダウンリンクＴＴＩ３１５の持続時間よりも長い別の持続時間であり得る。
【００６４】
[0074]  図４は、本開示の態様による、低レイテンシダウンリンク通信のための例示的なＰＵＣＣＨ構成を用いたアップリンク制御プロセス４００を示す。いくつかの場合には、アップリンク制御プロセス４００は、図１および図２を参照して説明されたように、ＵＥ１１５または基地局１０５によって行われる技法の態様を表し得る。
【００６５】
[0075]  図４の例において、アップリンク制御プロセス４００は、基地局１０５が、１つまたは複数のＮＡＣＫのランのための開始点を暗黙的に決定し得る例を示す。ＵＥ１１５は、アップリンクキャリア４０５上で（またはＴＤＤキャリアのアップリンク期間の間に）、単一のＮＡＣＫ、またはＮＡＣＫのストリングのうちの第１のＮＡＣＫであり得る、ＮＡＣＫ４１５を含むｕＰＵＣＣＨ送信のシーケンスを送信し得る。基地局は、ＮＡＣＫ４１５を正しく受信しないことがあり（または、エラーの可能性があると決定し得）、いくつかのダウンリンクＴＴＩについて確認応答情報をもつ非低レイテンシＰＵＣＣＨ４２５の送信を要求するために、ダウンリンクチャネル４１０上でｕＰＤＣＣＨ４２０を送信し得る。非低レイテンシＰＵＣＣＨ４２５は、ｕＰＤＣＣＨ４２０によってトリガされ得るので、基地局は、ｕＰＤＣＣＨ４２０のシンボル期間に基づいて、ＮＡＣＫのストリングのための開始点のインデックスを暗黙的に決定し得る。例えば、ＮＡＣＫのストリングの開始インデックスは、ｕＰＤＣＣＨ４２０の送信より４つのシンボル期間前であると暗黙的に決定され得る。
【００６６】
[0076]  従って、例えば、非低レイテンシＰＵＣＣＨ４２５が、ＮＡＣＫ４１５に対応するダウンリンク送信を含む、いくつかの低レイテンシ送信のための（ランレングスおよび開始位置に基づく）圧縮されたＨＡＲＱフィードバックを含んでいる場合、非低レイテンシＰＵＣＣＨ４２５は、ランレングスを含み得、ランの開始インデックスを含まないことがある。
【００６７】
[0077]  図５は、本開示の態様による、低レイテンシダウンリンク通信に関連する様々なＰＵＣＣＨ構成をサポートするシステム中のプロセスフローの一例を示す。プロセスフロー５００は、図１〜図２を参照して説明された対応するデバイスの例であり得る、基地局１０５−ｂとＵＥ１１５−ｂとを含み得る。
【００６８】
[0078]  ステップ５０５において、基地局１０５−ｂは、ＵＥ１１５−ｂに低レイテンシデータ送信を送り得る。従って、ＵＥ１１５−ｂは、第１の持続時間を有する第１のＴＴＩの間にデータ送信を受信し得る。いくつかの場合には、基地局１０５−ｂは、複数のデータ送信を送信し得（およびＵＥ１１５−ｂは、複数のデータ送信を受信し得）、各データ送信は、第１の持続時間をもつＴＴＩの間に受信され得る。
【００６９】
[0079]  いくつかの場合には、基地局１０５−ｂは、第３のＴＴＩの間に追加のデータ送信を送信し得（およびＵＥ１１５−ｂは、第３のＴＴＩの間に追加のデータ送信を受信し得）、ＵＥ１１５−ｂからの制御メッセージは、追加のデータ送信のための確認応答情報を含み得る。いくつかの場合には、第３のＴＴＩは第２の持続時間を有する。すなわち、ＵＥ１１５−ｂは、低レイテンシデータと非低レイテンシデータの両方を受信し得る。
【００７０】
[0080]  ステップ５１０において、ＵＥ１１５−ｂおよび基地局１０５−ｂは、低レイテンシデータ送信のためのＨＡＲＱフィードバックが、非低レイテンシＰＵＣＣＨメッセージ中に含まれることになると決定し得る。いくつかの場合には、ＵＥ１１５−ｂおよび基地局１０５−ｂは、第１のフィールドのためのビットの第１の数と、第２のフィールドのためのビットの第２の数とを識別し得、ビットの第１の数とビットの第２の数との和は、制御メッセージ中の確認応答情報のために利用可能なビットの総数に等しいことがある。
【００７１】
[0081]  いくつかの場合には、ＵＥ１１５−ｂおよび基地局１０５−ｂは、制御メッセージ中の確認応答情報のために利用可能なビットの数を識別し得、ここで、ビットの数は、複数のデータ送信の数よりも小さい（例えば、メッセージは、圧縮されたＨＡＲＱフィードバックを含み得る）。従って、ＵＥ１１５−ｂは、データ送信のうちの各データ送信のための復号インジケータを含むシーケンスを識別し得、シーケンスは、復号失敗インジケータのサブシーケンスを含み得る。ＵＥ１１５−ｂは、次いで、サブシーケンスの開始インデックスと、サブシーケンスのランレングスとに基づいて、シーケンスを圧縮し得る。
【００７２】
[0082]  いくつかの場合には、基地局１０５−ｂは、第１の持続時間を有する第３のＴＴＩの間にダウンリンク制御メッセージを送信し得、ＵＥ１１５−ｂは、それを受信し得る。次いで、ＵＥ１１５−ｂおよび基地局１０５−ｂは、ダウンリンク制御メッセージに基づいて、制御メッセージの送信のための第２のＴＴＩを識別し得る。
【００７３】
[0083]  いくつかの場合には、制御メッセージの送信のための第２のＴＴＩを識別することは、ＲＲＣ構成に基づく。制御メッセージの送信のための第２のＴＴＩを識別することは、チャネル状態に基づき得る。
【００７４】
[0084]  ステップ５１５において、ＵＥ１１５−ｂは、基地局１０５−ｂに非低レイテンシＰＵＣＣＨを送信し得る。従って、ＵＥ１１５−ｂは、第１の持続時間よりも大きい第２の持続時間を有する第２のＴＴＩの間に制御メッセージを送信し得（および、基地局１０５−ｂは、それを受信し得）、制御メッセージは、データ送信のための確認応答情報を含み得る。制御メッセージのビットは、データ送信のための確認応答情報と、追加のデータ送信のための確認応答情報とに対応し得る。いくつかの場合には、制御メッセージは、第１の持続時間をもつＴＴＩの間のデータ送信に対応する第１のフィールドと、第２の持続時間をもつＴＴＩの間のデータ送信に対応する第２のフィールドとを含む。
【００７５】
[0085]  制御メッセージは、サブシーケンスの開始インデックスのインジケータと、サブシーケンスのランレングスのインジケータとを含み得る。いくつかの例において、制御メッセージは、サブシーケンスのランレングスのインジケータを含み、サブシーケンスの開始インデックスは、ダウンリンク制御メッセージのロケーションに対応し得る。いくつかの場合には、制御メッセージの各ビットは、一意のハイブリッド自動再送要求（ＨＡＲＱ）プロセスに対応する。
【００７６】
[0086]  ステップ５２０において、非低レイテンシＰＵＣＣＨがＮＡＣＫを含む場合、基地局１０５−ｂは、低レイテンシダウンリンクチャネルを使用して、データの１つまたは複数のブロックを再送信し得る。
【００７７】
[0087]  図６は、本開示の態様による、低レイテンシダウンリンク通信に関連する様々なＰＵＣＣＨ構成をサポートするワイヤレスデバイス６００のブロック図を示す。ワイヤレスデバイス６００は、図１、図２、および図５を参照して説明されたＵＥ１１５の態様の一例であり得る。ワイヤレスデバイス６００は、受信機６０５と、ＰＵＣＣＨマネージャ６１０と、送信機６１５とを含み得る。ワイヤレスデバイス６００はプロセッサをも含み得る。これらの構成要素の各々は互いと通信していることがある。
【００７８】
[0088]  受信機６０５は、パケット、ユーザデータ、または様々な情報チャネルに関連する制御情報（例えば、制御チャネル、データチャネル、および低レイテンシダウンリンク通信のための非低レイテンシＰＵＣＣＨに関係する情報など）のような情報を受信し得る。情報は、デバイスの他の構成要素に受け渡され得る。受信機６０５は、図９を参照して説明されるトランシーバ９２５の態様の一例であり得る。受信機６０５は単一のアンテナを含み得るか、またはそれは複数のアンテナを含み得る。
【００７９】
[0089]  ＰＵＣＣＨマネージャ６１０は、（例えば、受信機６０５と協働して、）第１の持続時間を有する第１のＴＴＩの間にデータ送信を受信し、（例えば、送信機６１５と協働して、）第１の持続時間よりも大きい第２の持続時間を有する第２のＴＴＩの間に制御メッセージを送信し得、ここで、制御メッセージは、データ送信のための確認応答情報を含む。ＰＵＣＣＨマネージャ６１０は、図９を参照して説明されるＰＵＣＣＨマネージャ９０５の態様の一例であり得る。
【００８０】
[0090]  送信機６１５は、ワイヤレスデバイス６００の他の構成要素から受信された信号を送信し得る。いくつかの例において、送信機６１５は、トランシーバモジュール中で受信機とコロケートされ得る。例えば、送信機６１５は、図９を参照して説明されるトランシーバ９２５の態様の一例であり得る。送信機６１５は単一のアンテナを含み得るか、またはそれは複数のアンテナを含み得る。
【００８１】
[0091]  図７は、本開示の態様による、低レイテンシダウンリンク通信に関連する様々なＰＵＣＣＨ構成をサポートするワイヤレスデバイス７００のブロック図を示す。ワイヤレスデバイス７００は、図１、図２、図５、および図６を参照して説明されたワイヤレスデバイス６００またはＵＥ１１５の態様の一例であり得る。ワイヤレスデバイス７００は、受信機７０５と、ＰＵＣＣＨマネージャ７１０と、送信機７２５とを含み得る。ワイヤレスデバイス７００はプロセッサをも含み得る。これらの構成要素の各々は互いと通信していることがある。
【００８２】
[0092]  受信機７０５は、デバイスの他の構成要素に受け渡され得る情報を受信し得る。受信機７０５はまた、図６の受信機６０５に関して説明された機能を行い得る。受信機７０５は、図９を参照して説明されるトランシーバ９２５の態様の一例であり得る。受信機７０５は単一のアンテナを利用し得るか、またはそれは複数のアンテナを利用し得る。
[0093]  ＰＵＣＣＨマネージャ７１０は、図６を参照して説明されたＰＵＣＣＨマネージャ６１０の態様の一例であり得る。ＰＵＣＣＨマネージャ７１０は、データ構成要素７１５と制御メッセージ構成要素７２０とを含み得る。ＰＵＣＣＨマネージャ７１０は、図９を参照して説明されるＰＵＣＣＨマネージャ９０５の態様の一例であり得る。
【００８３】
[0094]  データ構成要素７１５は、（例えば、受信機７０５と協働して、）第１の持続時間を有する第１のＴＴＩの間にデータ送信を受信し得る。いくつかの例において、データ構成要素７１５は、複数のデータ送信を受信し得、ここで、複数のデータ送信の各々は、第１の持続時間をもつＴＴＩの間に受信され得る。いくつかの例において、データ構成要素７１５は、第３のＴＴＩの間に追加のデータ送信を受信し得、制御メッセージは、追加のデータ送信のための確認応答情報を含み得る。いくつかの場合には、第３のＴＴＩは第２のＴＴＩ持続時間を有する。
【００８４】
[0095]  制御メッセージ構成要素７２０は、（例えば、送信機７２５と協働して、）第１の持続時間よりも大きい第２の持続時間を有する第２のＴＴＩの間に制御メッセージを送信し得る。制御メッセージは、データ構成要素７１５によって受信された（１つまたは複数の）データ送信のための確認応答情報を含み得る。いくつかの場合には、制御メッセージは、サブシーケンスの開始インデックスのインジケータと、サブシーケンスのランレングスのインジケータとを含む。いくつかの場合には、制御メッセージは、サブシーケンスのランレングスのインジケータを含み、ここで、サブシーケンスの開始インデックスは、ダウンリンク制御メッセージのロケーションに対応する。追加または代替として、制御メッセージは、サブシーケンスの開始インデックスのインジケータと、サブシーケンスのランレングスのインジケータとを含み得る。いくつかの場合には、制御メッセージは、サブシーケンスのランレングスのインジケータを含み、サブシーケンスの開始インデックスは、ダウンリンク制御メッセージのロケーションに対応し得る。
【００８５】
[0096]  送信機７２５は、ワイヤレスデバイス７００の他の構成要素から受信された信号を送信し得る。いくつかの例において、送信機７２５は、トランシーバモジュール中で受信機とコロケートされ得る。例えば、送信機７２５は、図９を参照して説明されるトランシーバ９２５の態様の一例であり得る。送信機７２５は単一のアンテナを利用し得るか、またはそれは複数のアンテナを利用し得る。
【００８６】
[0097]  図８は、本開示の態様による、低レイテンシダウンリンク通信に関連する様々なＰＵＣＣＨ構成をサポートするＰＵＣＣＨマネージャ８００のブロック図を示す。ＰＵＣＣＨマネージャ８００は、図６および図７を参照して説明されたＰＵＣＣＨマネージャ６１０またはＰＵＣＣＨマネージャ７１０の態様の一例であり得る。ＰＵＣＣＨマネージャ８００は、図９を参照して説明されるＰＵＣＣＨマネージャ９０５の態様の一例でもあり得る。
【００８７】
[0098]  ＰＵＣＣＨマネージャ８００は、データ構成要素８０５と、制御メッセージ構成要素８１０と、圧縮構成要素８１５と、ダウンリンク制御メッセージ構成要素８２０とを含み得る。これらのモジュールの各々は、直接または間接的に、（例えば、１つまたは複数のバスを介して）互いと通信し得る。
【００８８】
[0099]  データ構成要素８０５は、（例えば、図６または図７を参照して説明された受信機６０５または７０５のような、受信機と協働して、）第１の持続時間を有する第１のＴＴＩの間にデータ送信を受信し得る。いくつかの例において、データ構成要素８０５は、複数のデータ送信を受信し得、複数のデータ送信の各々は、第１の持続時間をもつＴＴＩの間に受信され得る。いくつかの例において、データ構成要素８０５は、第３のＴＴＩの間に追加のデータ送信を受信し得る。
【００８９】
[0100]  制御メッセージ構成要素８１０は、（例えば、図６または図７を参照して説明されたような送信機６１５または７２５のような、送信機と協働して、）第１の持続時間よりも大きい第２の持続時間を有する第２のＴＴＩの間に制御メッセージを送信し得る。いくつかの例において、制御メッセージは、データ構成要素８０５によって受信された（１つまたは複数の）データ送信のための確認応答情報を含み得る。制御メッセージは、第３のＴＴＩの間に受信された追加のデータ送信のための確認応答情報を含み得る。いくつかの場合には、制御メッセージは、サブシーケンスの開始インデックスのインジケータと、サブシーケンスのランレングスのインジケータとを含む。追加または代替として、制御メッセージは、サブシーケンスのランレングスのインジケータを含み得、サブシーケンスの開始インデックスは、ダウンリンク制御メッセージのロケーションに対応し得る。いくつかの場合には、制御メッセージは、サブシーケンスの開始インデックスのインジケータと、サブシーケンスのランレングスのインジケータとを含む。いくつかの例において、制御メッセージは、サブシーケンスのランレングスのインジケータを含み、サブシーケンスの開始インデックスは、ダウンリンク制御メッセージのロケーションに対応し得る。
【００９０】
[0101]  圧縮構成要素８１５は、制御メッセージ中の確認応答情報のために利用可能なビットの数を識別し得る。ビットの数は、データ構成要素８０５によって受信される複数のデータ送信の数よりも小さいことがある。
【００９１】
[0102]  ダウンリンク制御メッセージ構成要素８２０は、（例えば、図６または図７を参照して説明された受信機６０５または７０５のような、受信機と協働して、）第１のＴＴＩ持続時間を有する第３のＴＴＩの間にダウンリンク制御メッセージを受信し得る。
【００９２】
[0103]  図９は、本開示の態様による、低レイテンシダウンリンク通信に関連する様々なＰＵＣＣＨ構成をサポートするＵＥを含むシステム９００のブロック図を示す。例えば、システム９００は、図１、図２、および図５〜図８を参照して説明されたように、ワイヤレスデバイス６００、ワイヤレスデバイス７００、またはＵＥ１１５の一例であり得る、ＵＥ１１５−ｃを含み得る。
【００９３】
[0104]  ＵＥ１１５−ｃは、ＰＵＣＣＨマネージャ９０５と、プロセッサ９１０と、メモリ９１５と、（１つまたは複数の）トランシーバ９２５と、（１つまたは複数の）アンテナ９３０と、ｅＣＣモジュール９３５とをも含み得る。これらのモジュールの各々は、直接または間接的に、（例えば、１つまたは複数のバスを介して）互いと通信し得る。
【００９４】
[0105]  ＰＵＣＣＨマネージャ９０５は、図６〜図８を参照して説明されたように、ＰＵＣＣＨマネージャの態様の一例であり得る。プロセッサ９１０は、インテリジェントハードウェアデバイス、（例えば、中央処理ユニット（ＣＰＵ）、マイクロコントローラ、特定用途向け集積回路（ＡＳＩＣ）など）を含み得る
[0106]  メモリ９１５は、ランダムアクセスメモリ（ＲＡＭ）および読取り専用メモリ（ＲＯＭ）を含み得る。メモリ９１５は、実行されたとき、プロセッサに本明細書で説明される様々な機能（例えば、低レイテンシダウンリンク通信のための非低レイテンシＰＵＣＣＨなど）を行わせる命令を含むコンピュータ可読、コンピュータ実行可能コード９２０を記憶し得る。いくつかの場合には、コード９２０は、プロセッサによって直接的に実行可能でないことがあるが、（例えば、コンパイルされ実行されたとき）コンピュータに本明細書で説明される機能を行わせ得る。
【００９５】
[0107]  （１つまたは複数の）トランシーバ９２５は、上述されたように、１つまたは複数のアンテナ９３０、ワイヤードリンク、またはワイヤレスリンクを介して、１つまたは複数のネットワークと双方向に通信し得る。例えば、（１つまたは複数の）トランシーバ９２５は、基地局１０５（例えば、基地局１０５−ｃ）またはＵＥ１１５と双方向に通信し得る。（１つまたは複数の）トランシーバ９２５は、パケットを変調し、変調されたパケットを送信のためにアンテナに与えるための、および（１つまたは複数の）アンテナ９３０から受信されたパケットを復調するためのモデムをも含み得る。いくつかの場合には、ワイヤレスデバイスは単一のアンテナ９３０を含み得る。いくつかの場合には、デバイスは、複数のワイヤレス送信をコンカレント(concurrently)に送信または受信することが可能であり得る２つ以上のアンテナ９３０を有し得る。
【００９６】
[0108]  ｅＣＣモジュール９３５は、共有または無認可スペクトルを使用する通信、低減ＴＴＩまたはサブフレーム持続時間を使用する通信、あるいは多数のコンポーネントキャリア（ＣＣ）を使用する通信のようなｅＣＣを使用する動作を可能にし得る。
【００９７】
[0109]  図１０は、本開示の態様による、低レイテンシダウンリンク通信に関連する様々なＰＵＣＣＨ構成をサポートするワイヤレスデバイス１０００のブロック図を示す。ワイヤレスデバイス１０００は、図１、図２、図５、または図９を参照して説明された基地局１０５の態様の一例であり得る。ワイヤレスデバイス１０００は、受信機１００５と、基地局ＰＵＣＣＨマネージャ１０１０と、送信機１０１５とを含み得る。ワイヤレスデバイス１０００はプロセッサをも含み得る。これらの構成要素の各々は互いと通信していることがある。
【００９８】
[0110]  受信機１００５は、パケット、ユーザデータ、または様々な情報チャネルに関連する制御情報（例えば、制御チャネル、データチャネル、および低レイテンシダウンリンク通信のための非低レイテンシＰＵＣＣＨに関係する情報など）のような情報を受信し得る。情報は、デバイスの他の構成要素に受け渡され得る。受信機１００５は、図１３を参照して説明されるトランシーバ１３２５の態様の一例であり得る。
【００９９】
[0111]  基地局ＰＵＣＣＨマネージャ１０１０は、（例えば、送信機１０１５と協働して、）第１の持続時間を有する第１のＴＴＩの間にデータを送信し、（例えば、受信機１００５と協働して、）第１の持続時間よりも大きい第２の持続時間を有する第２のＴＴＩの間に制御メッセージを受信し得る。制御メッセージは、データ送信のための確認応答情報を含み得る。基地局ＰＵＣＣＨマネージャ１０１０は、図１３を参照して説明される基地局ＰＵＣＣＨマネージャ１３０５の態様の一例でもあり得る。
【０１００】
[0112]  送信機１０１５は、ワイヤレスデバイス１０００の他の構成要素から受信された信号を送信し得る。いくつかの例において、送信機１０１５は、トランシーバモジュール中で受信機とコロケートされ得る。例えば、送信機１０１５は、図１３を参照して説明されるトランシーバ１３２５の態様の一例であり得る。送信機１０１５は単一のアンテナを含み得るか、またはそれは複数のアンテナを含み得る。
【０１０１】
[0113]  図１１は、本開示の態様による、低レイテンシダウンリンク通信に関連する様々なＰＵＣＣＨ構成をサポートするワイヤレスデバイス１１００のブロック図を示す。ワイヤレスデバイス１１００は、図１、図２、図５、および図１０を参照して説明されたワイヤレスデバイス１０００または基地局１０５の態様の一例であり得る。ワイヤレスデバイス１１００は、受信機１１０５と、基地局ＰＵＣＣＨマネージャ１１１０と、送信機１１２５とを含み得る。ワイヤレスデバイス１１００はプロセッサをも含み得る。これらの構成要素の各々は互いと通信していることがある。
【０１０２】
[0114]  受信機１１０５は、デバイスの他の構成要素に受け渡され得る情報を受信し得る。受信機１１０５はまた、図１０の受信機１００５に関して説明された機能を行い得る。受信機１１０５は、図１３を参照して説明されるトランシーバ１３２５の態様の一例であり得る。
【０１０３】
[0115]  基地局ＰＵＣＣＨマネージャ１１１０は、図１０を参照して説明された基地局ＰＵＣＣＨマネージャ１０１０の態様の一例であり得る。基地局ＰＵＣＣＨマネージャ１１１０は、基地局データ構成要素１１１５と基地局制御メッセージ構成要素１１２０とを含み得る。基地局ＰＵＣＣＨマネージャ１１１０は、図１３を参照して説明される基地局ＰＵＣＣＨマネージャ１３０５の態様の一例であり得る。
【０１０４】
[0116]  基地局データ構成要素１１１５は、（例えば、送信機１１２５と協働して、）第１の持続時間を有する第１のＴＴＩの間にデータを送信し得る。基地局制御メッセージ構成要素１１２０は、（例えば、受信機１１０５と協働して、）第１の持続時間よりも大きい第２の持続時間を有する第２のＴＴＩの間に制御メッセージを受信し得る。制御メッセージは、データ送信のための確認応答情報を含み得る。
【０１０５】
[0117]  送信機１１２５は、ワイヤレスデバイス１１００の他の構成要素から受信された信号を送信し得る。いくつかの例において、送信機１１２５は、トランシーバモジュール中で受信機とコロケートされ得る。例えば、送信機１１２５は、図１３を参照して説明されるトランシーバ１３２５の態様の一例であり得る。送信機１１２５は単一のアンテナを利用し得るか、またはそれは複数のアンテナを利用し得る。
【０１０６】
[0118]  図１２は、本開示の態様による、低レイテンシダウンリンク通信に関連する様々なＰＵＣＣＨ構成をサポートする基地局ＰＵＣＣＨマネージャ１２００のブロック図を示す。基地局ＰＵＣＣＨマネージャ１２００は、図１０および図１１を参照して説明された基地局ＰＵＣＣＨマネージャ１０１０または基地局ＰＵＣＣＨマネージャ１１１０の態様の一例であり得る。基地局ＰＵＣＣＨマネージャ１２００は、図１３を参照して説明される基地局ＰＵＣＣＨマネージャ１３０５の態様の一例でもあり得る。
【０１０７】
[0119]  基地局ＰＵＣＣＨマネージャ１２００は、基地局データ構成要素１２０５と、基地局制御メッセージ構成要素１２１０と、データ再送信構成要素１２１５と、基地局ダウンリンク制御メッセージ構成要素１２２０とを含み得る。これらのモジュールの各々は、直接または間接的に、（例えば、１つまたは複数のバスを介して）互いと通信し得る。
【０１０８】
[0120]  基地局データ構成要素１２０５は、（例えば、図１０または図１１を参照して説明されたような送信機１０１５または１１２５のような、送信機と協働して、）第１の持続時間を有する第１のＴＴＩの間にデータを送信し得る。基地局制御メッセージ構成要素１２１０は、（例えば、図１０または図１１を参照して説明されたような受信機１００５または１１０５のような、受信機と協働して、）第１の持続時間よりも大きい第２の持続時間を有する第２のＴＴＩの間に制御メッセージを受信し得る。制御メッセージは、データ送信のための確認応答情報を含み得る。
【０１０９】
[0121]  データ再送信構成要素１２１５は、（例えば、図１０または図１１を参照して説明されたような送信機１０１５または１１２５のような、送信機と協働して、）第１のＴＴＩ持続時間を有する第３のＴＴＩの間にデータを再送信し得る。再送信は確認応答情報に基づき得る。
【０１１０】
[0122]  基地局ダウンリンク制御メッセージ構成要素１２２０は、（例えば、図１０または図１１を参照して説明されたような送信機１０１５または１１２５のような、送信機と協働して、）第１のＴＴＩ持続時間を有する第３のＴＴＩの間にダウンリンク制御メッセージを送信し得る。第２のＴＴＩは、ダウンリンク制御メッセージに基づいて、制御メッセージの送信のために識別可能であり得る。
【０１１１】
[0123]  図１３は、本開示の態様による、低レイテンシダウンリンク通信に関連する様々なＰＵＣＣＨ構成をサポートする基地局を含むシステム１３００のブロック図を示す。例えば、システム１３００は、図１、図２、図５、および図１０〜図１２を参照して説明されたように、ワイヤレスデバイス１０００、ワイヤレスデバイス１１００、または基地局１０５の一例であり得る、基地局１０５−ｄを含み得る。基地局１０５−ｄは、通信を送信するための構成要素と通信を受信するための構成要素とを含む、双方向音声およびデータ通信のための構成要素をも含み得る。例えば、基地局１０５−ｄは、１つまたは複数のＵＥ１１５（例えば、ＵＥ１１５−ｄ、１１５−ｅなど）と双方向に通信し得る。
【０１１２】
[0124]  基地局１０５−ｄは、基地局ＰＵＣＣＨマネージャ１３０５と、プロセッサ１３１０と、メモリ１３１５と、（１つまたは複数の）トランシーバ１３２５と、（１つまたは複数の）アンテナ１３３０と、基地局通信モジュール１３３５と、ネットワーク通信モジュール１３４０とをも含み得る。これらのモジュールの各々は、直接または間接的に、（例えば、１つまたは複数のバスを介して）互いと通信し得る。
【０１１３】
[0125]  基地局ＰＵＣＣＨマネージャ１３０５は、図１０〜図１２を参照して説明されたように、基地局ＰＵＣＣＨマネージャの一例であり得る。
【０１１４】
[0126]  プロセッサ１３１０は、インテリジェントハードウェアデバイス、（例えば、ＣＰＵ、マイクロコントローラ、ＡＳＩＣなど）を含み得るメモリ１３１５はＲＡＭおよびＲＯＭを含み得る。メモリ１３１５は、実行されたとき、プロセッサに本明細書で説明される様々な機能（例えば、低レイテンシダウンリンク通信のための非低レイテンシＰＵＣＣＨなど）を行わせる命令を含むコンピュータ可読、コンピュータ実行可能コード１３２０を記憶し得る。いくつかの場合には、コード１３２０は、プロセッサによって直接的に実行可能でないことがあるが、（例えば、コンパイルされ実行されたとき）コンピュータに本明細書で説明される機能を行わせ得る。
【０１１５】
[0127]  （１つまたは複数の）トランシーバ１３２５は、上述されたように、１つまたは複数のアンテナ１３３０、ワイヤードリンク、またはワイヤレスリンクを介して、１つまたは複数のネットワークと双方向に通信し得る。例えば、（１つまたは複数の）トランシーバ１３２５は、基地局１０５（例えば、基地局１０５−ｅ、１０５−ｆなど）またはＵＥ１１５（例えば、ＵＥ１１５−ｄ、１１５−ｅなど）と双方向に通信し得る。（１つまたは複数の）トランシーバ１３２５は、パケットを変調し、変調されたパケットを送信のために（１つまたは複数の）アンテナ１３３０に与え、（１つまたは複数の）アンテナ１３３０から受信されたパケットを復調するためのモデムをも含み得る。いくつかの場合には、ワイヤレスデバイスは単一のアンテナ１３３０を含み得る。しかしながら、いくつかの場合には、デバイスは、複数のワイヤレス送信をコンカレントに送信または受信することが可能であり得る２つ以上のアンテナ９３０を有し得る。
【０１１６】
[0128]  基地局通信モジュール１３３５は、他の基地局１０５との通信を管理し得、他の基地局１０５と協働してＵＥ１１５との通信を制御するためのコントローラまたはスケジューラを含み得る。例えば、基地局通信モジュール１３３５は、ビームフォーミングまたはジョイント送信のような様々な干渉緩和技法のためのＵＥ１１５への送信のためのスケジューリングを協調させ得る。いくつかの例において、基地局通信モジュール１３３５は、基地局１０５間の通信を行うために、ＬＴＥ／ＬＴＥ−Ａワイヤレス通信ネットワーク技術内のＸ２インターフェースを与え得る。
【０１１７】
[0129]  ネットワーク通信モジュール１３４０は、１つまたは複数のワイヤードバックホールリンクを介した通信を含み得る、コアネットワーク（例えば、コアネットワーク１３０−ａ）との通信を管理し得る。例えば、ネットワーク通信モジュール１３４０は、１つまたは複数のＵＥ１１５のような、クライアントデバイスのためのデータ通信の転送を管理し得る。
【０１１８】
[0130]  図１４は、本開示の態様による、低レイテンシダウンリンク通信に関連する１つまたは複数のＰＵＣＣＨ構成を採用するための方法１４００を示すフローチャートを示す。方法１４００の動作は、図１、図２、図５、図９、または図１３を参照して説明されたように、ＵＥ１１５またはそれの構成要素によって実施され得る。例えば、方法１４００の動作は、本明細書で説明されるように、ＰＵＣＣＨマネージャによって行われ得る。いくつかの例において、ＵＥ１１５は、以下で説明される機能を行うようにデバイスの機能要素を制御するためのコードのセットを実行し得る。追加または代替として、ＵＥ１１５は、専用ハードウェアを使用して、以下で説明される機能態様を行い得る。
【０１１９】
[0131]  ブロック１４０５で、ＵＥ１１５は、図１〜図５を参照して上で説明されたように、第１の持続時間を有する第１のＴＴＩの間にデータ送信を受信する。ブロック１４０５の動作は、図７または図８を参照して説明されたようなデータ構成要素７１５または８０５、図６または図７を参照して説明された受信機６０５または７０５、あるいは図９を参照して説明されたような（１つまたは複数の）トランシーバ９２５によって行われ得る。
【０１２０】
[0132]  ブロック１４１０で、ＵＥ１１５は、図１〜図５を参照して上で説明されたように、第１の持続時間よりも大きい第２の持続時間を有する第２のＴＴＩの間に制御メッセージを送信し、ここで、制御メッセージは、データ送信のための確認応答情報を含む。ブロック１４１０の動作は、図７または図８を参照して説明されたような制御メッセージ構成要素７２０または８１０、図６または図７を参照して説明された送信機６１５または７２５、あるいは図９を参照して説明されたような（１つまたは複数の）トランシーバ９２５によって行われ得る。
【０１２１】
[0133]  図１５は、本開示の態様による、低レイテンシダウンリンク通信に関連する１つまたは複数のＰＵＣＣＨ構成を採用するための方法１５００を示すフローチャートを示す。方法１５００の動作は、図１、図２、図５、図９、または図１３を参照して説明されたように、ＵＥ１１５またはそれの構成要素によって実施され得る。例えば、方法１５００の動作は、本明細書で説明されるように、ＰＵＣＣＨマネージャによって行われ得る。いくつかの例において、ＵＥ１１５は、以下で説明される機能を行うようにデバイスの機能要素を制御するためのコードのセットを実行し得る。追加または代替として、ＵＥ１１５は、専用ハードウェアを使用して、以下で説明される機能態様を行い得る。
【０１２２】
[0134]  ブロック１５０５で、ＵＥ１１５は、図１〜図５を参照して上で説明されたように、第１の持続時間を有する第１のＴＴＩの間にデータ送信を受信する。ブロック１５０５の動作は、図７または図８を参照して説明されたようなデータ構成要素７１５または８０５、図６または図７を参照して説明された受信機６０５または７０５、あるいは図９を参照して説明されたような（１つまたは複数の）トランシーバ９２５によって行われ得る。
【０１２３】
[0135]  ブロック１５１０で、ＵＥ１１５は、図１〜図５を参照して上で説明されたように、第３のＴＴＩの間に追加のデータ送信を受信する。ブロック１５１０の動作は、図７または図８を参照して説明されたようなデータ構成要素７１５または８０５、図６または図７を参照して説明された受信機６０５または７０５、あるいは図を参照して説明されたような（１つまたは複数の）トランシーバ９２５によって行われ得る。
【０１２４】
[0136]  ブロック１５１５で、ＵＥ１１５は、図１〜図５を参照して上で説明されたように、第１の持続時間よりも大きい第２の持続時間を有する第２のＴＴＩの間に制御メッセージを送信し、ここで、制御メッセージは、データ送信と追加のデータ送信とのための確認応答情報を含む。ブロック１５１５の動作は、図７または図８を参照して説明されたような制御メッセージ構成要素７２０または８１０、図６または図７を参照して説明された送信機６１５または７２５、あるいは図９を参照して説明されたような（１つまたは複数の）トランシーバ９２５によって行われ得る。
【０１２５】
[0137]  図１６は、本開示の態様による、低レイテンシダウンリンク通信に関連する１つまたは複数のＰＵＣＣＨ構成を採用するための方法１６００を示すフローチャートを示す。方法１６００の動作は、図１、図２、図５、図９、および図１３を参照して説明されたように、ＵＥ１１５またはそれの構成要素によって実施され得る。例えば、方法１６００の動作は、本明細書で説明されるように、ＰＵＣＣＨマネージャによって行われ得る。いくつかの例において、ＵＥ１１５は、以下で説明される機能を行うようにデバイスの機能要素を制御するためのコードのセットを実行し得る。追加または代替として、ＵＥ１１５は、専用ハードウェアを使用して、以下で説明される機能態様を行い得る。
【０１２６】
[0138]  ブロック１６０５で、ＵＥ１１５は、図１〜図５を参照して上で説明されたように、データ送信のセットを受信し、ここで、セットのうちの各データ送信は、第１の持続時間をもつＴＴＩの間に受信される。ブロック１６０５の動作は、図７または図８を参照して説明されたようなデータ構成要素７１５または８０５、図６または図７を参照して説明された受信機６０５または７０５、あるいは図９を参照して説明されたような（１つまたは複数の）トランシーバ９２５によって行われ得る。
【０１２７】
[0139]  ブロック１６１０で、ＵＥ１１５は、図１〜図５を参照して上で説明されたように、制御メッセージ中の確認応答情報のために利用可能なビットの数を識別し、ここで、ビットの数は、データ送信のセットの数よりも小さい。ブロック１６１０の動作は、図８を参照して説明されたように、圧縮構成要素８１５によって行われ得る。
【０１２８】
[0140]  ブロック１６１５で、ＵＥ１１５は、図１〜図５を参照して上で説明されたように、第１の持続時間よりも大きい第２の持続時間を有する第２のＴＴＩの間に制御メッセージを送信し、ここで、制御メッセージは、データ送信のセットのための確認応答情報を含む。ブロック１６１５の動作は、図７または図８を参照して説明されたような制御メッセージ構成要素７２０または８１０、図６または図７を参照して説明された送信機６１５または７２５、あるいは図９を参照して説明されたような（１つまたは複数の）トランシーバ９２５によって行われ得る。
【０１２９】
[0141]  図１７は、本開示の態様による、低レイテンシダウンリンク通信に関連する１つまたは複数のＰＵＣＣＨ構成を採用するための方法１７００を示すフローチャートを示す。方法１７００の動作は、図１、図２、図５、図９、または図１３を参照して説明されたように、ＵＥ１１５またはそれの構成要素によって実施され得る。例えば、方法１７００の動作は、本明細書で説明されるように、ＰＵＣＣＨマネージャによって行われ得る。いくつかの例において、ＵＥ１１５は、以下で説明される機能を行うようにデバイスの機能要素を制御するためのコードのセットを実行し得る。追加または代替として、ＵＥ１１５は、専用ハードウェアを使用して、以下で説明される機能態様を行い得る。
【０１３０】
[0142]  ブロック１７０５で、ＵＥ１１５は、図１〜図５を参照して上で説明されたように、データ送信のセットを受信し、ここで、セットのうちの各データ送信は、第１の持続時間をもつＴＴＩの間に受信される。ブロック１７０５の動作は、図７または図８を参照して説明されたようなデータ構成要素７１５または８０５、図６または図７を参照して説明された受信機６０５または７０５、あるいは図９を参照して説明されたような（１つまたは複数の）トランシーバ９２５によって行われ得る。
【０１３１】
[0143]  ブロック１７１０で、ＵＥ１１５は、図１〜図５を参照して上で説明されたように、制御メッセージ中の確認応答情報のために利用可能なビットの数を識別し、ここで、ビットの数は、データ送信のセットの数よりも小さい。ブロック１６２０の動作は、図８を参照して説明されたように、圧縮構成要素８１５によって行われ得る。
【０１３２】
[0144]  ブロック１７１５で、ＵＥ１１５は、図１〜図５を参照して上で説明されたように、データ送信のセットのうちの各データ送信のための復号インジケータを含むシーケンスを識別し、ここで、シーケンスは、復号失敗インジケータのサブシーケンスを含む。ブロック１７１５の動作は、図８を参照して説明されたように、圧縮構成要素８１５によって行われ得る。
【０１３３】
[0145]  ブロック１７２０で、ＵＥ１１５は、図１〜図５を参照して上で説明されたように、サブシーケンスの開始インデックスと、サブシーケンスのランレングスとに基づいて、シーケンスを圧縮する。ブロック１７２０の動作は、図８を参照して説明されたように、圧縮構成要素８１５によって行われ得る。
【０１３４】
[0146]  ブロック１７２５で、ＵＥ１１５は、図１〜図５を参照して上で説明されたように、第１の持続時間よりも大きい第２の持続時間を有する第２のＴＴＩの間に制御メッセージを送信し、ここで、制御メッセージは、データ送信のセットのための確認応答情報を含む。ブロック１７２５の動作は、図７または図８を参照して説明されたような制御メッセージ構成要素７２０または８１０、図６または図７を参照して説明された送信機６１５または７２５、あるいは図９を参照して説明されたような（１つまたは複数の）トランシーバ９２５によって行われ得る。
【０１３５】
[0147]  図１８は、本開示の態様による、低レイテンシダウンリンク通信に関連する１つまたは複数のＰＵＣＣＨ構成を採用するための方法１８００を示すフローチャートを示す。方法１８００の動作は、図１、図２、図５、図９、または図１３を参照して説明されたように、基地局１０５またはそれの構成要素によって実施され得る。例えば、方法１８００の動作は、本明細書で説明されるように、基地局ＰＵＣＣＨマネージャによって行われ得る。いくつかの例において、基地局１０５は、以下で説明される機能を行うようにデバイスの機能要素を制御するためのコードのセットを実行し得る。追加または代替として、基地局１０５は、専用ハードウェアを使用して、以下で説明される機能態様を行い得る。
【０１３６】
[0148]  ブロック１８０５で、基地局１０５は、図１〜図５を参照して上で説明されたように、第１の持続時間を有する第１のＴＴＩの間にデータを送信する。ブロック１８０５の動作は、図１１または図１２を参照して説明されたような基地局データ構成要素１１１５または１２０５、図１０または図１１を参照して説明されたような送信機１０１５または１１２５、あるいは図１３を参照して説明されたような（１つまたは複数の）トランシーバ１３２５によって行われ得る。
【０１３７】
[0149]  ブロック１８１０で、基地局１０５は、図１〜図５を参照して上で説明されたように、第１の持続時間よりも大きい第２の持続時間を有する第２のＴＴＩの間に制御メッセージを受信し、ここで、制御メッセージは、送信されたデータのための確認応答情報を含む。ブロック１８１０の動作は、図１１または図１２を参照して説明されたような基地局制御メッセージ構成要素１１２０または１２１０、図１１または図１２を参照して説明されたような受信機１１０５または１２０５、あるいは図１３を参照して説明されたような（１つまたは複数の）トランシーバ１３２５によって行われ得る。
【０１３８】
[0150]  図１９は、本開示の態様による、低レイテンシダウンリンク通信に関連する１つまたは複数のＰＵＣＣＨ構成を採用するための方法１９００を示すフローチャートを示す。方法１９００の動作は、図１、図２、図５、図９、または図１３を参照して説明されたように、基地局１０５またはそれの構成要素によって実施され得る。例えば、方法１９００の動作は、本明細書で説明されるように、基地局ＰＵＣＣＨマネージャによって行われ得る。いくつかの例において、基地局１０５は、以下で説明される機能を行うようにデバイスの機能要素を制御するためのコードのセットを実行し得る。追加または代替として、基地局１０５は、専用ハードウェアを使用して、以下で説明される機能態様を行い得る。
【０１３９】
[0151]  ブロック１９０５で、基地局１０５は、図１〜図５を参照して上で説明されたように、第１の持続時間を有する第１のＴＴＩの間にデータを送信する。ブロック１９０５の動作は、図１１または図１２を参照して説明されたような基地局データ構成要素１１１５または１２０５、図１０または図１１を参照して説明されたような送信機１０１５または１１２５、あるいは図１３を参照して説明されたような（１つまたは複数の）トランシーバ１３２５によって行われ得る。
【０１４０】
[0152]  ブロック１９１０で、基地局１０５は、図１〜図５を参照して上で説明されたように、第１の持続時間よりも大きい第２の持続時間を有する第２のＴＴＩの間に制御メッセージを受信し、ここで、制御メッセージは、送信されたデータのための確認応答情報を含む。ブロック１９１０の動作は、図１１または図１２を参照して説明されたような基地局制御メッセージ構成要素１１２０または１２１０、図１１または図１２を参照して説明されたような受信機１１０５または１２０５、あるいは図１３を参照して説明されたような（１つまたは複数の）トランシーバ１３２５によって行われ得る。
【０１４１】
[0153]  ブロック１９１５で、基地局１０５は、図１〜図５を参照して上で説明されたように、第１の持続時間を有する第３のＴＴＩの間にデータを再送信し、ここで、確認応答情報に基づく再送信。ブロック１９１５の動作は、図１２を参照して説明されたようなデータ再送信構成要素１２１５、図１０または図１１を参照して説明されたような送信機１０１５または１１２５、あるいは図１３を参照して説明されたような（１つまたは複数の）トランシーバ１３２５によって行われ得る。。
【０１４２】
[0154]  これらの方法は可能な実施形態を表すこと、並びに動作およびステップは、他の実施形態が可能であるように、並べ替えられるかまたは場合によっては変更され得ることに留意されたい。いくつかの例では、方法のうちの２つまたはそれ以上からの態様が組み合わせられ得る。例えば、方法の各々の態様は、他の方法のステップまたは態様、あるいは本明細書で説明される他のステップまたは技法を含み得る。従って、本開示の態様は、低レイテンシダウンリンク通信のための非低レイテンシＰＵＣＣＨを与え得る。
【０１４３】
[0155]  本明細書の説明は、当業者が本開示を作成または使用可能にするために提供される。本開示への様々な変更は当業者には容易に明らかとなり、本明細書で定義された一般原理は、本開示の範囲から逸脱することなく他の変形形態に適用され得る。従って、本開示は、本明細書で説明される例および設計に限定されるべきでなく、本明細書で開示される原理および新規の特徴に合致する最も広い範囲を与えられるべきである。
【０１４４】
[0156]  本明細書で説明される機能は、ハードウェア、プロセッサによって実行されるソフトウェア、ファームウェア、またはそれらの任意の組合せで実施され得る。プロセッサによって実行されるソフトウェアで実施される場合、機能は、１つまたは複数の命令またはコードとして、コンピュータ可読媒体上に記憶されるか、またはコンピュータ可読媒体を介して送信され得る。他の例および実施形態は、本開示の範囲内および添付の特許請求の範囲内に入る。例えば、ソフトウェアの性質により、上述された機能は、プロセッサ、ハードウェア、ファームウェア、ハードワイヤリング、またはこれらのいずれかの組合せによって実行されるソフトウェアを使用して実施され得る。機能を実施する特徴はまた、異なる物理ロケーションにおいて機能の部分が実施されるように分散されることを含めて、様々な位置に物理的に配置され得る。また、特許請求の範囲を含めて、本明細書で使用される場合、項目の列挙（例えば、「のうちの少なくとも１つ」あるいは「１つまたは複数の」などの句で終わる項目の列挙）中で使用される「または」は、例えば、Ａ、Ｂ、またはＣのうちの少なくとも１つの列挙が、ＡまたはＢまたはＣまたはＡＢまたはＡＣまたはＢＣまたはＡＢＣ（すなわち、ＡおよびＢおよびＣ）を意味するような包括的列挙を示す。
【０１４５】
[0157]  本明細書で使用される「に基づいて」という句は、条件の閉集合への参照として解釈されないものとする。例えば、「条件Ａに基づいて」と記述された例示的なステップは、本開示の範囲から逸脱することなく条件Ａと条件Ｂの両方に基づき得る。言い換えれば、本明細書で使用される「に基づいて」という句は、「に少なくとも部分的に基づいて」という句と同様にして解釈されるものとする。
【０１４６】
[0158]  コンピュータ可読媒体は、ある場所から別の場所へのコンピュータプログラムの転送を可能にする任意の媒体を含む、非一時的コンピュータ記憶媒体と通信媒体の両方を含む。非一時的記憶媒体は、汎用または専用コンピュータによってアクセスされ得る任意の利用可能な媒体であり得る。限定ではなく例として、非一時的コンピュータ可読媒体は、ＲＡＭ、ＲＯＭ、電気的消去可能プログラマブル読取り専用メモリ（ＥＥＰＲＯＭ（登録商標））、コンパクトディスク（ＣＤ）ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の非一時的媒体を含むことができる。また、いかなる接続もコンピュータ可読媒体と適切に呼ばれる。例えば、ソフトウェアが、同軸ケーブル、光ファイバーケーブル、ツイストペア、デジタル加入者回線（ＤＳＬ）、または赤外線、無線、およびマイクロ波のようなワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波のようなワイヤレス技術は、媒体の定義に含まれる。本明細書で使用されるディスク（disk）およびディスク（disc）は、ＣＤ、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれる。
【０１４７】
[0159]  本明細書で説明される技法は、ＣＤＭＡ、ＴＤＭＡ、ＦＤＭＡ、ＯＦＤＭＡ、シングルキャリア周波数分割多元接続（ＳＣ−ＦＤＭＡ）、および他のシステムのような様々なワイヤレス通信システムのために使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ）のような無線技術を実施し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標）：Wideband CDMA）およびＣＤＭＡの他の変形態を含む。ＴＤＭＡシステムは、（モバイル通信用グローバルシステム（ＧＳＭ（登録商標）：Global System for Mobile communications））のような無線技術を実施し得る。ＯＦＤＭＡシステムは、ウルトラモバイルブロードバンド（ＵＭＢ）、発展型ＵＴＲＡ（Ｅ−ＵＴＲＡ：Evolved UTRA）、米国電気電子技術者協会（ＩＥＥＥ）８０２．１１（ワイヤレスフィデリティ（Ｗｉ−Ｆｉ（登録商標）））、ＩＥＥＥ８０２．１６（ＷｉＭＡＸ（登録商標））、ＩＥＥＥ８０２．２０、Ｆｌａｓｈ−Ｏ、周波数分割多重化（ＦＤＭ）などの無線技術を実施し得る。ＵＴＲＡおよびＥ−ＵＴＲＡは、ユニバーサルモバイルテレコミュニケーションズシステム（ユニバーサルモバイルテレコミュニケーションズシステム（ＵＭＴＳ：Universal Mobile Telecommunications System））の一部である。３ＧＰＰ（登録商標）  ＬＴＥおよびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ａ、およびＧＳＭは、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明された技法は、上記のシステムおよび無線技術、並びに他のシステムおよび無線技術に使用され得る。ただし、本明細書の説明は、例としてＬＴＥシステムについて説明し、上記の説明の大部分においてＬＴＥ用語が使用されるが、本技法はＬＴＥ適用例以外に適用可能である。
【０１４８】
[0160]  本明細書で説明されたネットワークを含む、ＬＴＥ／ＬＴＥ−Ａネットワークにおいて、ｅＮＢという用語は、概して、基地局を表すために使用され得る。本明細書で説明された１つまたは複数のワイヤレス通信システムは、異なるタイプのｅＮＢが様々な地理的領域にカバレージを与える、異種ＬＴＥ／ＬＴＥ−Ａネットワークを含み得る。例えば、各ｅＮＢまたは基地局は、マクロセル、スモールセル、または他のタイプのセルに通信カバレージを与え得る。「セル」という用語は、コンテキストに応じて、基地局、基地局に関連するキャリアまたはコンポーネントキャリア（ＣＣ）、あるいはキャリアまたは基地局のカバレージエリア（例えば、セクタなど）を表すために使用され得る３ＧＰＰ用語である。
【０１４９】
[0161]  基地局は、基地トランシーバ局、無線基地局、アクセスポイント（ＡＰ）、無線トランシーバ、ノードＢ、ｅノードＢ（ｅＮＢ）、ホームノードＢ、ホームｅノードＢ、または何らかの他の好適な用語を含み得るか、あるいはそのように当業者によって呼ばれることがある。基地局のための地理的カバレージエリアは、カバレージエリアの一部分のみを構成するセクタに分割され得る。本明細書で説明される１つまたは複数のワイヤレス通信システムは、異なるタイプの基地局（例えば、マクロセル基地局またはスモールセル基地局）を含み得る。本明細書で説明されるＵＥは、マクロｅＮＢ、スモールセルｅＮＢ、リレー基地局などを含む様々なタイプの基地局およびネットワーク機器と通信することが可能であり得る。異なる技術のための重複する地理的カバレージエリアがあり得る。
【０１５０】
[0162]  マクロセルは、概して、比較的大きい地理的エリア（例えば、半径数キロメートル）をカバーし、ネットワークプロバイダのサービスに加入しているＵＥによる無制限アクセスを可能にし得る。スモールセルは、マクロセルと比較して、同じまたは異なる（例えば、認可、無認可などの）周波数バンド内でマクロセルとして動作し得る低電力基地局である。スモールセルは、様々な例によれば、ピコセル、フェムトセル、およびマイクロセルを含み得る。ピコセルは、例えば、小さい地理的エリアをカバーし得、ネットワークプロバイダのサービスに加入しているＵＥによる無制限アクセスを可能にし得る。フェムトセルは、小さい地理的エリア（例えば、自宅）を同じくカバーし得、フェムトセルとの関連を有するＵＥ（例えば、限定加入者グループ（ＣＳＧ）中のＵＥ、自宅内のユーザのためのＵＥなど）による制限付きアクセスを与え得る。マクロセルのためのｅＮＢはマクロｅＮＢと呼ばれることがある。スモールセルのためのｅＮＢは、スモールセルｅＮＢ、ピコｅＮＢ、フェムトｅＮＢ、またはホームｅＮＢと呼ばれることがある。ｅＮＢは、１つまたは複数の（例えば、２つ、３つ、４つなどの）セル（例えば、ＣＣ）をサポートし得る。ＵＥは、マクロｅＮＢ、スモールセルｅＮＢ、リレー基地局などを含む、様々なタイプの基地局およびネットワーク機器と通信することが可能であり得る。
【０１５１】
[0163]  本明細書で説明される１つまたは複数のワイヤレス通信システムは、同期動作または非同期動作をサポートし得る。同期動作の場合、基地局は同様のフレームタイミングを有し得、異なる基地局からの送信は近似的に時間的に整合され得る。非同期動作の場合、基地局は異なるフレームタイミングを有し得、異なる基地局からの送信は時間的に整合されないことがある。本明細書で説明された技法は、同期動作または非同期動作のいずれかのために使用され得る。
【０１５２】
[0164]  本明細書で説明されるＤＬ送信は順方向リンク送信と呼ばれることもあり、ＵＬ送信は逆方向リンク送信と呼ばれることもある。例えば、図１および図２のワイヤレス通信システム１００および２００を含む、本明細書で説明される各通信リンクは、１つまたは複数のキャリアを含み得、ここで、各キャリアは、複数のサブキャリアからなる信号（例えば、異なる周波数の波形信号）であり得る。各被変調信号は、異なるサブキャリア上で送られ得、制御情報（例えば、基準信号、制御チャネルなど）、オーバーヘッド情報、ユーザデータなどを搬送し得る。本明細書で説明される通信リンク（例えば、図１の通信リンク１２５）は、周波数分割複信（ＦＤＤ）を使用して（例えば、対スペクトルリソースを使用して）または時分割複信（ＴＤＤ）動作を使用して（例えば、不対スペクトルリソースを使用して）双方向通信を送信し得る。ＦＤＤ（例えば、フレーム構造タイプ１）およびＴＤＤ（例えば、フレーム構造タイプ２）のためのフレーム構造が定義され得る。
【０１５３】
[0165]  従って、本開示の態様は、低レイテンシダウンリンク通信のための非低レイテンシＰＵＣＣＨを与え得る。これらの方法は可能な実施形態を表すこと、並びに動作およびステップは、他の実施形態が可能であるように、並べ替えられるかまたは場合によっては変更され得ることに留意されたい。いくつかの例では、方法のうちの２つまたはそれ以上からの態様が組み合わせられ得る。
【０１５４】
[0166]  本明細書の開示に関して説明された様々な例示的なブロックおよびモジュールは、汎用プロセッサ、デジタル信号プロセッサ（ＤＳＰ）、ＡＳＩＣ、フィールドプログラマブルゲートアレイ（ＦＰＧＡ）または他のプログラマブル論理デバイス、個別ゲートまたはトランジスタ論理、個別ハードウェア構成要素、あるいは本明細書で説明された機能を行うように設計されたそれらの任意の組合せを用いて実施または行われ得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ（例えば、ＤＳＰとマイクロプロセッサとの組合せ、複数のマイクロプロセッサ、ＤＳＰコアと連携する１つまたは複数のマイクロプロセッサ、または任意の他のそのような構成）としても実施され得る。従って、本明細書で説明される機能は、１つまたは複数の他の処理ユニット（またはコア）によって、少なくとも１つの集積回路（ＩＣ）上で行われ得る。様々な例では、当技術分野で知られている任意の様式でプログラムされ得る、異なるタイプのＩＣ（例えば、ストラクチャード／プラットフォームＡＳＩＣ、ＦＰＧＡ、または別のセミカスタムＩＣ）が使用され得る。各ユニットの機能はまた、全体的または部分的に、１つまたは複数の汎用または特定用途向けプロセッサによって実行されるようにフォーマットされた、メモリ中に組み込まれた命令を用いて実施され得る。
【０１５５】
[0167]  添付の図において、同様の構成要素または特徴は同じ参照ラベルを有し得る。さらに、同じタイプの様々な構成要素は、参照ラベルの後に、ダッシュと、それらの同様の構成要素の間で区別する第２のラベルとを続けることによって区別され得る。第１の参照ラベルのみが本明細書において使用される場合、その説明は、第２の参照ラベルにかかわらず、同じ第１の参照ラベルを有する同様の構成要素のいずれにも適用可能である。
【図１】
2018526919.tif 000003
【図２】
2018526919.tif 000004
【図３】
2018526919.tif 000005
【図４】
2018526919.tif 000006
【図５】
2018526919.tif 000007
【図６】
2018526919.tif 000008
【図７】
2018526919.tif 000009
【図８】
2018526919.tif 000010
【図９】
2018526919.tif 000011
【図１０】
2018526919.tif 000012
【図１１】
2018526919.tif 000013
【図１２】
2018526919.tif 000014
【図１３】
2018526919.tif 000015
【図１４】
2018526919.tif 000016
【図１５】
2018526919.tif 000017
【図１６】
2018526919.tif 000018
【図１７】
2018526919.tif 000019
【図１８】
2018526919.tif 000020
【図１９】
2018526919.tif 000021
【国際調査報告】
2018526919.tif 000022
2018526919.tif 000023